(57)【要約】【課題】  画像形成中の画像データの差替えを容易にするとともに、画質が低下しにくい仕組みを提供する。【解決手段】  画像を形成するためのデータである第１のデータに基づいて、画像を形成する画像形成装置であって、前記第１のデータを受付ける第１のデータ受付手段と、前記第１のデータに基づいて画像を形成する画像形成手段と、前記第１のデータに基づく画像形成中に、当該第１のデータの一部の指定を受付ける指定受付手段と、前記第１のデータの一部に対応するデータである第２のデータを、受付ける第２のデータ受付手段と、前記指定受付手段で受付けた指定と、前記第２のデータ受付手段で受付けた前記第２のデータとに基づいて、前記画像形成手段で前記第１のデータと前記第２のデータとに基づく画像の形成の順序を決定する決定手段とを備え、前記画像形成手段は、前記決定手段で決定される順序に従って、画像を形成することを特徴とする画像形成装置。【選択図】  図１０
2019098537.tif 000002
【特許請求の範囲】
【請求項１】
画像を形成するためのデータである第１のデータに基づいて、画像を形成する画像形成装置であって、
前記第１のデータを受付ける第１のデータ受付手段と、
前記第１のデータに基づいて画像を形成する画像形成手段と、
前記画像形成手段が、前記第１のデータに基づく画像形成中に、当該第１のデータの一部の指定を受付ける指定受付手段と、
前記指定受付手段で受付けた前記第１のデータの一部に対応するデータである第２のデータを、受付ける第２のデータ受付手段と、
前記指定受付手段で受付けた指定と、前記第２のデータ受付手段で受付けた前記第２のデータとに基づいて、前記画像形成手段で前記第１のデータと前記第２のデータとに基づく画像の形成の順序を決定する決定手段とを備え、
前記画像形成手段は、前記決定手段で決定される順序に従って、前記第１のデータに基づく画像と前記第２のデータに基づく画像とを形成することを特徴とする画像形成装置。
【請求項２】
前記決定手段は、前記第２のデータ受付手段が前記第２のデータを受付けたことを条件に、前記第１のデータに基づく画像を形成した後に、前記第２のデータに基づく画像を形成するよう、前記画像形成手段で画像を形成する順序を決定することを特徴とする請求項１に記載の画像形成装置。
【請求項３】
前記第１のデータは、１の画像を形成するための複数のデータを含むことを特徴とする請求項１または２に記載の画像形成装置。
【請求項４】
前記決定手段は、前記指定受付手段で受付けた指定と、前記第２のデータ受付手段で受付けた前記第２のデータとに基づいて、前記第１のデータに含まれる前記１の画像を形成するための複数のデータについて、前記画像形成手段で画像を形成する順序を決定することを特徴とする請求項３に記載の画像形成装置。
【請求項５】
前記画像形成手段は、定型または長尺のシートに画像を形成し、
前記画像形成手段は、前記第１のデータに基づく画像と前記第２のデータに基づく画像とを、１枚のシートに形成することを特徴とする請求項１乃至４のうちいずれか１項に記載の画像形成装置。
【請求項６】
前記画像形成手段は、前記第１のデータに基づいて形成される画像と前記第２のデータに基づいて形成される画像とを重ね合わせるための目印を、形成することを特徴とする請求項１乃至５のうちいずれか１項に記載の情報処理装置。
【請求項７】
前記指定受付手段で受付けた指定に基づいて、前記第１のデータの一部と前記第２のデータとを差替える差替手段を更に備え、
前記画像形成手段は、前記第１のデータに基づく画像形成中に、前記差替手段による前記第１のデータの一部と前記第２のデータとの差替えが間に合う場合には、前記第１のデータには基づかず前記第２のデータに基づく画像を形成する処理を行わないことを特徴とする請求項１乃至６のうちいずれか１項に記載の画像形成装置。
【請求項８】
前記画像形成手段は、前記第１のデータに基づく画像形成中に、前記差替手段による前記第１のデータの一部と前記第２のデータとの差替えが間に合わない場合には、当該差替手段によるデータの差替えがなされていない当該第１のデータに基づく画像を形成することを特徴とする請求項７に記載の画像形成装置。
【請求項９】
前記画像形成手段は、前記差替手段によるデータの差替えがなされていない当該第１のデータに基づく画像を、前記指定受付手段で指定を受付けた当該第１のデータの一部に対応する個所のうち、少なくとも一部を省いて形成することを特徴とする請求項８に記載の画像形成装置。
【請求項１０】
前記画像形成手段は、前記第１のデータに基づく画像形成中に、前記差替手段による前記第１のデータの一部と前記第２のデータとの差替えが間に合わない場合には、前記画像形成手段は、画像を形成する速度を変更することを特徴とする請求項７乃至９のうち、いずれか１項に記載の画像形成装置。
【請求項１１】
前記画像形成手段は、前記第２のデータ受付手段が前記第２のデータを、受付けたことを条件として、画像を形成する速度を変更することを特徴とする請求項１乃至１０のうち、いずれか１項に記載の画像形成装置。
【請求項１２】
前記画像形成手段は、前記第２のデータ受付手段が前記第２のデータを受付けていることを条件として、前記決定手段で決定される順序に従って、画像の形成に関連する動作を停止することなく前記第１のデータに基づく画像と当該第２のデータに基づく画像とを形成することを特徴とする請求項１乃至１１のいずれか１項に記載の画像形成装置。
【請求項１３】
画像を形成するためのデータである第１のデータに基づいて、画像を形成する画像形成装置における制御方法であって、
前記画像形成装置の第１のデータ受付手段が前記第１のデータを受付ける第１のデータ受付工程と、
前記画像形成装置の画像形成手段が、前記第１のデータに基づいて画像を形成する画像形成工程と、
前記画像形成装置の指定受付手段が、前記画像形成工程が、前記第１のデータに基づく画像形成中に、当該第１のデータの一部の指定を受付ける指定受付工程と、
前記画像形成装置の第２のデータ受付手段が、前記指定受付工程で受付けた前記第１のデータの一部に対応するデータである第２のデータを、受付ける第２のデータ受付工程と、
前記画像形成装置の決定手段が、前記指定受付工程で受付けた指定と、前記第２のデータ受付工程で受付けた前記第２のデータとに基づいて、前記画像形成工程で前記第１のデータと前記第２のデータとに基づく画像の形成の順序を決定する決定工程とをを含み、
前記画像形成工程は、前記決定工程で決定される順序に従って、前記第１のデータに基づく画像と前記第２のデータに基づく画像とを形成することを特徴とする制御方法。
【請求項１４】
画像を形成するためのデータである第１のデータに基づいて、画像を形成する画像形成装置で読み取り実行が可能なプログラムであって、
前記画像形成装置を、
前記第１のデータを受付ける第１のデータ受付手段と、
前記第１のデータに基づいて画像を形成する画像形成手段と、
前記画像形成手段が、前記第１のデータに基づく画像形成中に、当該第１のデータの一部の指定を受付ける指定受付手段と、
前記指定受付手段で受付けた前記第１のデータの一部に対応するデータである第２のデータを、受付ける第２のデータ受付手段と、
前記指定受付手段で受付けた指定と、前記第２のデータ受付手段で受付けた前記第２のデータとに基づいて、前記画像形成手段で前記第１のデータと前記第２のデータとに基づく画像の形成の順序を決定する決定手段として機能させ、
前記画像形成手段は、前記決定手段で決定される順序に従って、前記第１のデータに基づく画像と前記第２のデータに基づく画像とを形成することを特徴とするプログラム。
【請求項１５】
画像を形成するためのデータである第１のデータに基づいて、画像を形成する画像形成のシステムであって、
前記第１のデータを受付ける第１のデータ受付手段と、
前記第１のデータに基づいて画像を形成する画像形成手段と、
前記画像形成手段が、前記第１のデータに基づく画像形成中に、当該第１のデータの一部の指定を受付ける指定受付手段と、
前記指定受付手段で受付けた前記第１のデータの一部に対応するデータである第２のデータを、受付ける第２のデータ受付手段と、
前記指定受付手段で受付けた指定と、前記第２のデータ受付手段で受付けた前記第２のデータとに基づいて、前記画像形成手段で前記第１のデータと前記第２のデータとに基づく画像の形成の順序を決定する決定手段とを備え、
前記画像形成手段は、前記決定手段で決定される順序に従って、前記第１のデータに基づく画像と前記第２のデータに基づく画像とを形成することを特徴とする画像形成のシステム。
【請求項１６】
画像を形成するためのデータである第１のデータに基づいて、画像を形成する画像形成のシステムにおける制御方法であって、
前記画像形成のシステムの第１のデータ受付手段が前記第１のデータを受付ける第１のデータ受付工程と、
前記画像形成のシステムの画像形成手段が、前記第１のデータに基づいて画像を形成する画像形成工程と、
前記画像形成のシステムの指定受付手段が、前記画像形成工程が、前記第１のデータに基づく画像形成中に、当該第１のデータの一部の指定を受付ける指定受付工程と、
前記画像形成のシステムの第２のデータ受付手段が、前記指定受付工程で受付けた前記第１のデータの一部に対応するデータである第２のデータを、受付ける第２のデータ受付工程と、
前記画像形成のシステムの決定手段が、前記指定受付工程で受付けた指定と、前記第２のデータ受付工程で受付けた前記第２のデータとに基づいて、前記画像形成工程で前記第１のデータと前記第２のデータとに基づく画像の形成の順序を決定する決定工程とを含み、
前記画像形成工程は、前記決定工程で決定される順序に従って、前記第１のデータに基づく画像と前記第２のデータに基づく画像とを形成することを特徴とする制御方法。
【請求項１７】
画像を形成するためのデータである第１のデータに基づいて、画像を形成する画像形成のシステムで読み取り実行が可能なプログラムであって、
前記画像形成のシステムを、
前記第１のデータを受付ける第１のデータ受付手段と、
前記第１のデータに基づいて画像を形成する画像形成手段と、
前記画像形成手段が、前記第１のデータに基づく画像形成中に、当該第１のデータの一部の指定を受付ける指定受付手段と、
前記指定受付手段で受付けた前記第１のデータの一部に対応するデータである第２のデータを、受付ける第２のデータ受付手段と、
前記指定受付手段で受付けた指定と、前記第２のデータ受付手段で受付けた前記第２のデータとに基づいて、前記画像形成手段で前記第１のデータと前記第２のデータとに基づく画像の形成の順序を決定する決定手段として機能させ、
前記画像形成手段は、前記決定手段で決定される順序に従って、前記第１のデータに基づく画像と前記第２のデータに基づく画像とを形成することを特徴とするプログラム。
【請求項１８】
画像を形成するためのデータである第１のデータに基づいて、画像を形成する画像形成装置であって、
前記第１のデータを受付ける第１のデータ受付手段と、
前記第１のデータに基づいて画像を形成する画像形成手段と、
前記画像形成手段に基づく画像形成を、一時的に停止させる停止手段と、
前記画像形成手段が、前記第１のデータに基づく画像形成中に、前記停止手段で前記画像形成手段に基づく画像形成を停止させるための基準となる当該第１のデータの一部に対応する個所の指定を受付ける指定受付手段と、
前記画像形成手段が前記第１のデータに基づく画像形成中に、前記指定受付手段で受付けた前記第１のデータの一部に対応するデータである第２のデータを、受付ける第２のデータ受付手段と、
前記指定受付手段で受付けた指定に基づいて、前記第１のデータの一部と前記第２のデータとを差替える差替手段とを備え、
前記停止手段は、前記画像形成手段が前記第１のデータに基づく画像形成中に、前記差替手段による前記第１のデータの一部と前記第２のデータとの差替えが間に合わない場合には、前記指定受付手段で受付けた前記画像形成手段に基づく画像形成を停止させるための基準に基づく所定の位置で当該画像形成手段による画像形成を、一時的に停止させることを特徴とする、画像形成装置。
【請求項１９】
前記停止手段は、前記画像形成手段が前記第１のデータに基づく画像形成中に、前記差替手段による前記第１のデータの一部と前記第２のデータとの差替えが間に合う場合には、前記指定受付手段で受付けた前記画像形成手段に基づく画像形成を停止させるための基準に基づく所定の位置で当該画像形成手段による画像形成を、一時的に停止させないことを特徴とする、請求項１８に記載の画像形成装置。
【請求項２０】
画像を形成するためのデータである第１のデータに基づいて、画像を形成する画像形成装置における制御方法であって、
前記画像形成装置の第１のデータ受付手段が、前記第１のデータを受付ける第１のデータ受付工程と、
前記画像形成装置の画像形成手段が、前記第１のデータに基づいて画像を形成する画像形成工程と、
前記画像形成装置の停止手段が、前記画像形成工程に基づく画像形成を、一時的に停止させる停止工程と、
前記画像形成装置の指定受付手段が、前記画像形成工程が、前記第１のデータに基づく画像形成中に、前記停止工程で前記画像形成工程に基づく画像形成を停止させるための基準となる当該第１のデータの一部に対応する個所の指定を受付ける指定受付工程と、
前記画像形成装置の第２のデータ受付手段が、前記画像形成工程が前記第１のデータに基づく画像形成中に、前記指定受付工程で受付けた前記第１のデータの一部に対応するデータである第２のデータを、受付ける第２のデータ受付工程と、
前記画像形成装置の差替手段が、前記指定受付工程で受付けた指定に基づいて、前記第１のデータの一部と前記第２のデータとを差替える差替工程とを含み、
前記停止工程は、前記画像形成工程が前記第１のデータに基づく画像形成中に、前記差替工程による前記第１のデータの一部と前記第２のデータとの差替えが間に合わない場合には、前記指定受付工程で受付けた前記画像形成工程に基づく画像形成を停止させるための基準に基づく所定の位置で当該画像形成工程による画像形成を、一時的に停止させることを特徴とする、制御方法。
【請求項２１】
画像を形成するためのデータである第１のデータに基づいて、画像を形成する画像形成装置で読み取り実行が可能なプログラムであって、
前記画像形成装置を、
前記第１のデータを受付ける第１のデータ受付手段と、
前記第１のデータに基づいて画像を形成する画像形成手段と、
前記画像形成手段に基づく画像形成を、一時的に停止させる停止手段と、
前記画像形成手段が、前記第１のデータに基づく画像形成中に、前記停止手段で前記画像形成手段に基づく画像形成を停止させるための基準となる当該第１のデータの一部に対応する個所の指定を受付ける指定受付手段と、
前記画像形成手段が前記第１のデータに基づく画像形成中に、前記指定受付手段で受付けた前記第１のデータの一部に対応するデータである第２のデータを、受付ける第２のデータ受付手段と、
前記指定受付手段で受付けた指定に基づいて、前記第１のデータの一部と前記第２のデータとを差替える差替手段として機能させ、
前記停止手段は、前記画像形成手段が前記第１のデータに基づく画像形成中に、前記差替手段による前記第１のデータの一部と前記第２のデータとの差替えが間に合わない場合には、前記指定受付手段で受付けた前記画像形成手段に基づく画像形成を停止させるための基準に基づく所定の位置で当該画像形成手段による画像形成を、一時的に停止させることを特徴とする、プログラム。
【請求項２２】
画像を形成するためのデータである第１のデータに基づいて、画像を形成する画像形成のシステムであって、
前記第１のデータを受付ける第１のデータ受付手段と、
前記第１のデータに基づいて画像を形成する画像形成手段と、
前記画像形成手段に基づく画像形成を、一時的に停止させる停止手段と、
前記画像形成手段が、前記第１のデータに基づく画像形成中に、前記停止手段で前記画像形成手段に基づく画像形成を停止させるための基準となる当該第１のデータの一部に対応する個所の指定を受付ける指定受付手段と、
前記画像形成手段が前記第１のデータに基づく画像形成中に、前記指定受付手段で受付けた前記第１のデータの一部に対応するデータである第２のデータを、受付ける第２のデータ受付手段と、
前記指定受付手段で受付けた指定に基づいて、前記第１のデータの一部と前記第２のデータとを差替える差替手段とを備え、
前記停止手段は、前記画像形成手段が前記第１のデータに基づく画像形成中に、前記差替手段による前記第１のデータの一部と前記第２のデータとの差替えが間に合わない場合には、前記指定受付手段で受付けた前記画像形成手段に基づく画像形成を停止させるための基準に基づく所定の位置で当該画像形成手段による画像形成を、一時的に停止させることを特徴とする、画像形成のシステム。
【請求項２３】
画像を形成するためのデータである第１のデータに基づいて、画像を形成する画像形成のシステムにおける制御方法であって、
前記画像形成のシステムの第１のデータ受付手段が、前記第１のデータを受付ける第１のデータ受付工程と、
前記画像形成のシステムの画像形成手段が、前記第１のデータに基づいて画像を形成する画像形成工程と、
前記画像形成のシステムの停止手段が、前記画像形成工程に基づく画像形成を、一時的に停止させる停止工程と、
前記画像形成のシステムの指定受付手段が、前記画像形成工程が、前記第１のデータに基づく画像形成中に、前記停止工程で前記画像形成工程に基づく画像形成を停止させるための基準となる当該第１のデータの一部に対応する個所の指定を受付ける指定受付工程と、
前記画像形成のシステムの第２のデータ受付手段が、前記画像形成工程が前記第１のデータに基づく画像形成中に、前記指定受付工程で受付けた前記第１のデータの一部に対応するデータである第２のデータを、受付ける第２のデータ受付工程と、
前記画像形成のシステムの差替手段が、前記指定受付工程で受付けた指定に基づいて、前記第１のデータの一部と前記第２のデータとを差替える差替工程とを含み、
前記停止工程は、前記画像形成工程が前記第１のデータに基づく画像形成中に、前記差替工程による前記第１のデータの一部と前記第２のデータとの差替えが間に合わない場合には、前記指定受付工程で受付けた前記画像形成工程に基づく画像形成を停止させるための基準に基づく所定の位置で当該画像形成工程による画像形成を、一時的に停止させることを特徴とする、制御方法。
【請求項２４】
画像を形成するためのデータである第１のデータに基づいて、画像を形成する画像形成のシステムで読み取り実行が可能なプログラムであって、
前記画像形成のシステムを、
前記第１のデータを受付ける第１のデータ受付手段と、
前記第１のデータに基づいて画像を形成する画像形成手段と、
前記画像形成手段に基づく画像形成を、一時的に停止させる停止手段と、
前記画像形成手段が、前記第１のデータに基づく画像形成中に、前記停止手段で前記画像形成手段に基づく画像形成を停止させるための基準となる当該第１のデータの一部に対応する個所の指定を受付ける指定受付手段と、
前記画像形成手段が前記第１のデータに基づく画像形成中に、前記指定受付手段で受付けた前記第１のデータの一部に対応するデータである第２のデータを、受付ける第２のデータ受付手段と、
前記指定受付手段で受付けた指定に基づいて、前記第１のデータの一部と前記第２のデータとを差替える差替手段として機能させ、
前記停止手段は、前記画像形成手段が前記第１のデータに基づく画像形成中に、前記差替手段による前記第１のデータの一部と前記第２のデータとの差替えが間に合わない場合には、前記指定受付手段で受付けた前記画像形成手段に基づく画像形成を停止させるための基準に基づく所定の位置で当該画像形成手段による画像形成を、一時的に停止させることを特徴とする、プログラム。
【発明の詳細な説明】
【技術分野】
【０００１】
本願発明は、画像形成装置、画像形成のシステム、およびそれらの制御方法、プログラムに関する。
【背景技術】
【０００２】
近年、パーソナルコンピュータ等の普及に伴って、デジタルデータの編集が容易になり、画像形成装置を用いた印刷が盛んになっている。
【０００３】
画像は、画像データに基づいて、紙や布合成シートなどの被画像形成素材に、インクやトナーなどの画像形成材を用いて形成されるが、印刷中に画像データの修正箇所に気づいた場合には、何らかの対応が必要となる。
【０００４】
名刺のような、比較的小さなサイズの被画像形成素材に画像形成をする場合には、直ちに印刷を停止し、印刷中であった被画像形成素材は廃却してしまう。そして、画像データの修正を行った後、新たに補充した被画像形成素材にもう一度刷りなおす、といったパターンが一般的である。これは、用紙、インク、印刷時間の１部あたりのロスが極めて小さく、経済合理性があるからである。
【０００５】
一方、しかし、看板広告等の用途を目的とした商業印刷の分野では、１部あたりのロスは極めて大きいため、刷りなおさなくて済む個所はできる限り利用しようと試みるのが一般的である。最も単純な解決策は、差替えの必要な部分だけを別途出力し、パッチを当てるように上から貼ってしまう方法である。
【０００６】
しかし、画像形成装置は、何らかの理由で画像形成中に動作を停止・再開させた場合、様々な印刷環境・条件が変化することに伴う、停止前と停止後の境界部分の色むらや微妙な色の差が出てしまうため、好ましくない。具体的には、先に画像形成された部分のインクやトナーが先に乾いてしまう、インクヘッドの湿り具合が変化する、居室の温度・湿度が変化する等の原因によって、色の差が出てしまう。
【先行技術文献】
【特許文献】
【０００７】
【特許文献１】特開２００８−１１４５１０号公報
【特許文献２】特開平７―８９１４５号公報
【発明の概要】
【発明が解決しようとする課題】
【０００８】
特許文献１には、印刷の中断が必要な状況になった際、印刷の停止命令を受けてから、色むらの分かりにくい最初の停止位置まで印刷を行ってから印刷動作を停止・中断することで、色むらを出にくくする仕組みが提案されている。
【０００９】
このような仕組みを用いれば、「色むらを出にくくすることはできるものの、やはり、印刷動作を停止・中断してしまえば、停止前と停止後の境界部分の色むらや微妙な色の差が出てしまう。
【００１０】
このため、できるだけ印刷を止めずに済むのであれば、それに越したことはなく、この観点で考えると、「最短の停止位置」で印刷動作を停止・中断するという構成は、必ずしも好適であるとは言えない。
【００１１】
そこで、画像形成装置の動作をできる限り止めることなく、印刷ミスに対応するための方法が必要となる。
【００１２】
特許文献２には、印刷中に画像の一部に差替えの必要が生じた場合に、差替えたい画像データの個所を指定して、差替えのためのデータと差替えられるように、画像形成装置に出力させたい画像データを予め分割しておく仕組みが提案されている。
【００１３】
この仕組みを用いれば、画像の形成中に差替えが必要な個所を発見した場合でも、差替ジョブを送信し、画像データの一部を差替えてしまえば、画像の形成を中断せずに済む。つまり、特許文献１で生じる印刷の停止によって引き起こされる「色の差」の問題に対応することができる。
【００１４】
しかしながら、この仕組みは、「差替えたい場所の印刷データの差替え」が間に合わないと成立しない点に課題が残る。
【００１５】
さらには、差替えたい場所が見つかってから、差替ジョブの準備し、送信し、差替えが完了するまでには時間がかかる。
【００１６】
このような背景から、従来技術よりも画像形成中における、差替ジョブの準備、送信、差替え完了に要する時間を、確保しやすくするための仕組みが求められている。
【００１７】
本発明は、画像形成中の画像データの差替えを容易にするとともに、画質が低下しにくい仕組みを提供することを目的とする。
【課題を解決するための手段】
【００１８】
本発明は、画像を形成するためのデータである第１のデータに基づいて、画像を形成する画像形成装置であって、前記第１のデータを受付ける第１のデータ受付手段と、前記第１のデータに基づいて画像を形成する画像形成手段と、前記画像形成手段が、前記第１のデータに基づく画像形成中に、当該第１のデータの一部の指定を受付ける指定受付手段と、前記指定受付手段で受付けた前記第１のデータの一部に対応するデータである第２のデータを、受付ける第２のデータ受付手段と、前記指定受付手段で受付けた指定と、前記第２のデータ受付手段で受付けた前記第２のデータとに基づいて、前記画像形成手段で前記第１のデータと前記第２のデータとに基づく画像の形成の順序を決定する決定手段とを備え、前記画像形成手段は、前記決定手段で決定される順序に従って、前記第１のデータに基づく画像と前記第２のデータに基づく画像とを形成することを特徴とする。
【発明の効果】
【００１９】
このように設けることで、画像形成中の画像データの差替えを容易にするとともに、画質が低下しにくい仕組みを提供することができる。
【図面の簡単な説明】
【００２０】
【図１】本発明のシステム構成の一例を示した構成図である。
【図２】本発明のハードウエアの構成の一例を示した構成図である。
【図３】情報処理装置１１０の表示部２１０に表示される、画像編集ソフトの表示画面の一例を示した構成図である。
【図４】印刷条件の設定画面の一例を示した構成図である。
【図５】印刷ジョブ５００と差替ジョブ５１０の構成の一例を示した構成図である。
【図６】印刷実施中の表示画面の一例を示した構成図である。
【図７】差替ジョブを受付けることなく、印刷ジョブ５００に基づいて、出力された出力物の一例を示した構成図である。
【図８】図７の出力物７００の形成画像を重ね合わせて用いる際の一例を示した構成図である。
【図９】差替データを編集する際の画像編集画面３００の一例を示した構成図である。
【図１０】印刷ジョブ５００と差替ジョブとに基づいて、出力された出力物７００の一例を示した構成図である。
【図１１】図１０（ａ）の出力物７００の形成画像を重ね合わせて用いる際の一例を示した構成図である。
【図１２】図１０（ｂ）の出力物７００の形成画像を重ね合わせて用いる際の一例を示した構成図である。
【図１３】差替データを編集する際の画像編集画面３００の一例を示した構成図である。
【図１４】印刷ジョブ５００と差替ジョブとに基づいて、出力された出力物７００の一例を示した構成図である。
【図１５】本実施の形態における画像形成処理に関するフローの一例を示した構成図である。
【図１６】ステップＳ１５２１−１の差替え関連処理のサブフローの一例を示した構成図である。
【図１７】本願発明に用いられるデータテーブルの一例を示した構成図である。
【図１８】本願発明に用いられるデータテーブルの一例を示した構成図である。
【図１９】差替ジョブ５１０を送信した後に情報処理装置１１０に表示される表示画面の一例を示した構成図である。
【図２０】ステップＳ１５２１−２の差替データがない場合のサブフローの一例を示した構成図である。
【発明を実施するための形態】
【００２１】
以下、図面を参照して、本発明の実施形態を詳細に説明する。
【００２２】
図１は、本発明のシステム構成の一例を示した構成図である。
【００２３】
情報処理装置１１０は、画像形成装置１２０で画像を形成させるための情報を管理・編集する機能を備えた装置である。具体的な一例としては、パーソナルコンピュータや、タブレット、スマートフォンといった情報機器が考えられる。情報処理装置１１０には、画像編集ソフトウエアがインストールされている。そして、このソフトウエアを通じて作成された画像データ３０２から、画像形成装置１２０で画像を形成するためのデータ（印刷ジョブ５００、第１のデータ）を生成し、これを印刷命令として画像形成装置１２０に送信して、画像を形成させることができる。
【００２４】
また、情報処理装置１１０は、上記の画像データ３０２に基づいて、印刷ジョブ５００に含まれる画像形成データ５０５の一部を差替えるデータ「差替画像形成データ５１５（第２のデータ）」を含む、差替ジョブ５１０を生成し、送信することができる。
【００２５】
画像形成装置１２０は、画像を形成するためのデータ（第１のデータ）に基づいて、画像を形成することのできる装置である。具体的な一例としては、インクジェットプリンタや、レーザープリンタ、熱転写プリンタ等の、各種印刷機が挙げられる。
【００２６】
画像形成装置１２０は、印刷用の紙等のシートに画像を形成できるよう設けられている。シートの種類は特段問わないが、画像形成後に切り貼りして用いた際に、継ぎ目が目立ちにくい素材や厚み、サイズであることが好ましい。具体的には、例えば、紙、有機・無機材料を用いた合成シート（例えば、ポリエチレン、ＰＥＴ、ゴム、金属、カーボン等）、布、不織布等、あるいは、これらの組合せが、シート素材として好適に考えられる。また、シートの形状も特に問わないが、Ａ３やＡ４といった定型サイズの用紙や、ロール型の長尺紙などサイズのシートが含まれる。
【００２７】
画像形成装置１２０は、印刷ジョブ（第１のデータ）に基づく画像形成中に、データの差替えを行いたい画像の個所の指定を、ユーザから受付けられるよう設けられている。さらに、上記の指定に基づく差替ジョブ５１０を受付け、ユーザから指定された印刷中の第１のデータの画像の一部と、差替ジョブ５１０に含まれる差替画像形成データ５１５（第２のデータ）とを差替えることができるよう、設けられている。
【００２８】
あるいは、画像形成装置１２０は、印刷ジョブ５００に基づく画像の形成が終わった後に、この画像形成に関連する動作を停止することなく、続けて差替ジョブ５１０の差替画像形成データ５１５（第２のデータ）に基づく印刷を実行できるよう、設けられている。
【００２９】
さらに、このようなケースで印刷ジョブ５００に基づく画像の形成を行う際には、所定の条件や状況に応じて、印刷ジョブ５００に基づく画像形成の順序の一部を変更、省略する、余白を設ける等の処理ができるよう設けられている。
【００３０】
また、差替ジョブ５１０の受付が間に合わず、差替画像形成データ５１５の差替えが困難な状況になった場合、ユーザから受付けたデータの差替えを行いたい画像の個所に基づいて、一時停止が好適に可能な位置まで印刷を継続し、停止することができる。
【００３１】
画像形成装置１２０は、画像形成の速度を、特定の指示・条件によって調整可能に設けられている。具体的には、通常の印刷速度（デフォルトの印刷速度）とそれよりも遅い速度の少なくとも２種類の速度で印刷が可能である。
【００３２】
そして、データの差替えを行いたい画像の個所の指定を受付けてから、差替ジョブ５１０を受付けるまでの間は印刷速度を、通常の印刷速度と比較して遅くすることができる。また、差替ジョブ５１０の受付が間に合わず、印刷中の第１のデータのうち、ユーザから受付けたデータの差替えができなくなったタイミングから、差替ジョブ５１０を受付けるまでの間の印作速度を通常の印刷速度と比較して遅くすることができる。
【００３３】
通信ネットワーク１３０は、本発明の情報処理装置１１０と画像形成装置１２０を通信可能に接続するネットワークである。通信方法には既存の様々な技術を用いることができる。有線であっても無線であってもよく、ＷＡＮ（Ｗｉｄｅ  Ａｒｅａ  Ｎｅｔｗｏｒｋ）であってもＬＡＮ（Ｌｏｃａｌ  Ａｒｅａ  Ｎｅｔｗｏｒｋ）であってもよい。
【００３４】
図２は、本発明のハードウエアの構成の一例を示した構成図である。本発明におけるハードウエアは、情報処理装置１１０おとび画像形成装置１２０である。
【００３５】
２０１はＣＰＵで、ＲＯＭ２０２のプログラム用ＲＯＭや外部メモリ２１１に記憶されたプログラムをＲＡＭ２０３にロードして実行することによりシステムバス２０４に接続された各デバイスを制御する。また、このＲＯＭ２０２のフォント用ＲＯＭにはフォントデータ等を記憶し、ＲＯＭ２０２のデータ用ＲＯＭには各種データを記憶する。２０３はＲＡＭで、ＣＰＵ２０１の主メモリ、ワークエリア等として機能する。２０２はキーボードコントローラ（入力コントローラ）で、２０９や図示しないポインティングデバイス、例えばタッチパッドからの入力を制御する。
【００３６】
入力コントローラ２０５は入力デバイス２０９を制御する。なお入力デバイス２０９には、タッチパネルも含まれ、その場合は、入力デバイス２０９が表示部２１０（画像を表示する表示画面を映すための表示装置）を兼ねているケースもある。２０６はビデオカード（ＶＣ）で、表示部２１０の表示を制御する。
【００３７】
２０７はメモリコントローラで、外部メモリ２１１（ハードディスク等）とのアクセスを制御する。２０８はネットワークインターフェースカード（ＮＩＣ）で、通信ネットワーク１３０上の通信を制御する。
【００３８】
画像形成ユニットコントローラ２２０は、少なくとも画像形成装置１２０に供えられている。画像形成ユニットコントローラ２２０は、画像形成を行うためのユニットである画像形成ユニット２２１を制御する。
【００３９】
画像形成ユニット２２１は、画像を形成するためのデータ（印刷ジョブや差替ジョブ）に基づき、画像形成（印刷）に必要な消耗品（トナーやインク、シート、あるいは熱転写紙等）を用いて画像形成を行なうユニットである。
【００４０】
図３は、情報処理装置１１０の表示部２１０に表示される、画像編集ソフトの表示画面の一例を示した構成図である。
【００４１】
画像編集画面３００は、画像編集ソフトの表示画面である。画像編集ソフトは、文書・図・表・写真等の様々な元データに基づいて、入力デバイス２０９を介してユーザの様々な指示を受付けて、１の画像データ（画像データ３０２）を編集することができるよう、設けられている。
【００４２】
印刷ボタン３０１は、印刷条件設定画面４００を立上げる指示をユーザから受付けるためのオブジェクトである。印刷ボタン３０１の押下によって表示される印刷条件設定画面４００の詳細は、図４にて説明する。
【００４３】
画像データ３０２は、画像形成装置１２０に画像を形成させるための基となるデータである。画像形成できるものであれば特に形式は特に問わず、文書、画像、写真等のいずれかであってもよいし、あるいはそれらの組みあわせであってもよい。
【００４４】
図４は、印刷条件の設定画面の一例を示した構成図である。
【００４５】
印刷条件設定画面４００は、情報処理装置１１０の表示部２１０に表示され、ユーザから各種の印刷条件を受付けるためのメニュー画面である。
【００４６】
プリンタ選択メニュー４０１は、情報処理装置１１０と通信可能に接続された画像形成装置１２０のうち、画像を形成させる指示（印刷指示）を送る画像形成装置１２０の選択を、ユーザから受付けるためのオブジェクトである。
【００４７】
基本印刷条件入力受付４０２は、プリンタ選択メニュー４０１で選択された画像形成装置１２０に、画像データ３０２に基づく画像を形成させるにあたって必要となる、諸元の入力を、ユーザから受付けるためオブジェクトである。図４においては、基本印刷条件入力受付４０２で印刷部数、画質、用紙サイズ、用紙の種類を受付けられるよう設けられているが、画像形成装置１２０の種類や性能、用途に応じて他にも様々な条件が設定できるものとする。具体的には、例えば、プロファイルの種類、出力した用紙を鑑賞する環境の色温度、カラー／モノクロ印刷の選択、両面印刷の有無、割り付け印刷の設定、余白、ヘッダやフッタの設定等が含まれる。
【００４８】
間合う条件設定４０３は、画像形成装置１２０が印刷ジョブ５００に基づく画像形成中に、差替ジョブ５１０に基づく差替画像形成データ５１５の差替えが間に合う場合における、画像形成の順序の決め方を、ユーザから受付けるオブジェクトである。
【００４９】
ここで言う「差替えが間に合う」とは、ユーザから指定された個所の画像形成が開始されるタイミングまでに、差替画像形成データ５１５の差替えが行なえる予想タイムリミット（＝差替限界）内に行えるということである。具体的には、例えば、図７のような出力物７００を印刷するための印刷ジョブ５００に基づいて、印刷を実施する場合を考える。この場合、ユーザから「ト」の領域が、差替えを行ないたい領域として指定されたとすると、「へ」と「ト」の境界であるＦのラインまで印刷が達する前に、差替ジョブを受付けて、差替画像形成データ５１５の差替えが終われば、「差替えが間に合う」ことになる。
【００５０】
つまり、このケースの「差替限界」は、Ｆのラインまで印刷が達する前に、差替ジョブを受付けて、差替画像形成データ５１５の差替えを済ませることのできるタイムリミットということになる。
【００５１】
間合う条件設定４０３における、「元データと差替ジョブとの両方を印刷する」は、差替ジョブ５１０の受付・差替えが、差替限界内に行えた場合でも、指定個所のデータの差替えを行わないモードである。この場合、画像形成装置１２０に、最初に受付けた印刷ジョブ５００をそのまま画像形成した後、画像形成の動作を停止することなく、差替ジョブ５１０に含まれる差替画像形成データ５１５に基づく画像形成を行う、という順序の設定となる。そして、例えば、図１０（ａ）のような出力結果が得られる。
【００５２】
間合う条件設定４０３における、「元データの指定個所と差替データとを差替えて印刷する」は、差替ジョブ５１０の受付・差替えが、差替限界内に行えた場合に、指定個所のデータの差替えを行なうモードである。つまり、画像形成装置１２０の、印刷の順序は最初に受付けた印刷ジョブ５００に基づくものと変わらないが、ユーザから指定された箇所のデータを、差替ジョブ５１０に含まれる差替画像形成データ５１５と差替えて画像形成を行う、という設定となる。そして、例えば、図１０（ｂ）のような出力結果が得られる。
【００５３】
間合わない条件設定４０４は、画像形成装置１２０が印刷ジョブ５００に基づく画像形成中に、差替ジョブ５１０に基づく差替画像形成データ５１５の差替えが間に合わない場合における、画像形成の順序の決め方を、ユーザから受付けるオブジェクトである。
【００５４】
例えば、図７のような出力物７００を印刷するための印刷ジョブ５００に基づいて、印刷を実施する場合を考える。まず、ユーザから「ト」の領域が、差替えを行ないたい領域として指定されたとする。この場合、「へ」と「ト」の境界であるＦのラインまで印刷が達する前に、差替ジョブを受付けて、差替画像形成データ５１５の差替えが終わらなければ、「差替えが間に合わない」ことになる。
【００５５】
このような「差替えが間に合わない」場合であっても、差替ジョブを印刷するタイミングを遅らせられるよう印刷の順序を入替える等、更に差替ジョブ５１０を準備するための時間を稼ぐ処理を行うことが、本発明の大きな特徴の一つである。
【００５６】
つまり、画像形成（印刷）の処理をできるだけ一時停止させないための処理を行うことが、本発明のポイントといえる。そして、具体的には、差替ジョブを印刷するタイミングを後回しにする、印刷速度を落とす、余白を設けたりしながら、印刷むらの出にくいギリギリのタイミングまで画像形成を継続する、といった動きが考えられる。
【００５７】
間合わない条件設定４０４における、「元データと差替ジョブとの両方を印刷する」は、間合う条件設定４０３における、「元データと差替ジョブとの両方を印刷する」と同じである。例えば、図１０（ａ）を例に挙げると、Ｆの位置で一時停止してしまうケースと比べて、「ト」「チ」の印刷にかかる時間の分だけ、「ト´」を準備する時間を稼ぐことができる。
【００５８】
間合わない条件設定４０４における、「元データの指定個所をスキップし、差替ジョブを印刷する」は、元データの指定個所をスキップし、差替ジョブを印刷するモードである。つまり、最初に受付けた印刷ジョブ５００に基づくいて、元データの指定個所をスキップして（省いて）画像形成した後、画像形成の動作を停止することなく、差替ジョブに基づく画像形成を行う、という順序の設定となる。そして、例えば、図１４（ａ）を例に挙げると、Ｆの位置で一時停止してしまうケースと比べて、「ト」の印刷にかかる時間の分だけ、「ト´」に対応する画像データを、準備する時間を稼ぐことができる。
【００５９】
間合わない条件設定４０４における、「元データの指定個所に余白を設け、差替ジョブを印刷する」は、元データの指定個所に余白を設け、差替ジョブを印刷するモードである。つまり、最初に受付けた印刷ジョブ５００に基づいて、元データの指定個所をスキップして（省いて）画像形成した後、画像形成の動作を停止することなく、差替ジョブに基づく画像形成を行う、という順序の設定となる。例えば、図１４（ｂ）を例に挙げると、Ｆの位置で一時停止してしまうケースと比べて、余白１４０５７の紙送りに要する時間と、「ト」の印刷にかかる時間との分だけ、「ト´」（形成画像１００５７）に対応する画像データを、準備する時間を稼ぐことができる。
【００６０】
間合わない条件設定４０４における、「印刷を一時停止し、差替データを受付けた際に再開する」は、差替ジョブ５１０の受付が、間に合わなかった際に、印刷を一時停止させるモードである。そして、このモードでは、一時停止後に差替ジョブ５１０を受付けると、指定個所のデータの差替えを行ない、印刷を再開させる。つまり、画像形成装置１２０の、印刷の順序は最初に受付けた印刷ジョブ５００に基づくものと変わらないが、ユーザから指定された箇所のデータを、差替ジョブと差替えて画像形成を行う、という設定となる。そして、例えば、図１０（ｂ）のような出力結果が得られる。つまり、を例に挙げると、Ｆの位置（「へ」と「ト´」との境界）で一時停止させるケースである。
【００６１】
印刷完了残ゼロ時停止指示オブジェクト４０６は、画像形成装置１２０の印刷ジョブ５００に基づく画像形成中に、差替ジョブ５１０による差替えが、印刷完了残のタイムリミットに間に合わない場合の指示をユーザから受付けるオブジェクトである。そして、このチェックボックスが選択されると、差替ジョブ５１０による差替えが、印刷完了残のタイムリミットに間に合わない場合に、差替ジョブ５１０を受付けが完了する（あるいは差替えが完了する）まで、印刷を一時停止させる設定となる。
【００６２】
印刷完了残は、図９の時間残表示部９０２で示される数値の一つで、ステップＳ１５０５で受付けた印刷ジョブ５００に基づく画像形成装置１２０の画像の形成が終わるまでの予想時間を示している。つまり、画像形成を実行しながら、データの差替えを行なえる予想タイムリミットである。つまり、図１０（ａ）であればＨのライン、図１０（ｂ）であればＦのライン、図１４（ａ）であればＧ´のライン、図１４（ｂ）であれば、Ｈのラインである。
【００６３】
トンボ付加チェックボックス４０５は、画像形成装置１２０に、印刷ジョブに基づいて形成された画像と差替ジョブに基づく画像とを重ね合わせる際の目印となる画像を差替ジョブに対応する個所に形成させる指示を、ユーザから受付けるオブジェクトである。具体的には、例えば、図１０（ａ）や図１４（ｂ）のトンボ１００１のような目印を形成させることができる。
【００６４】
印刷開始ボタン４０７は、印刷条件設定画面４００で受付けた様々な印刷条件と、画像データ３０２とに基づき、印刷ジョブ５００を生成し、画像形成装置１２０に送信するための指示を、ユーザから受付けるためのオブジェクトである。
【００６５】
キャンセルボタン４０８は、印刷条件設定画面４００の画面を閉じて、画像編集画面３００に戻るための指示を、ユーザから受付けるためのオブジェクトである。
【００６６】
図５は、印刷ジョブ５００と差替ジョブ５１０の構成の一例を示した構成図である。
【００６７】
図５（ａ）は、印刷ジョブ５００の構成の一例を示した構成図である。
印刷ジョブ５００は、画像形成装置１２０で画像を形成させるために必要な各種情報を含むデータ（第１のデータ）である。
【００６８】
ジョブ開始データ５０１は、ジョブデータの先頭を示すデータ（ヘッダー）であり、ジョブを識別するＩＤなどを含む。
【００６９】
ジョブ設定データ５０２は、ジョブ毎の設定に関する情報を識別可能なデータである。具体的には、例えば、印刷部数、現在時刻、紙幅の不一致を検知する機能を用いるか否かの設定等の情報が含まれる。
【００７０】
ページ設定データ５０３は、ページ毎の設定に関する情報を識別可能なデータである。具体的には、例えば、シート（用紙等）のサイズや種類、給紙方法（カット紙の給紙かロール紙の給紙か等）、印刷品質（解像度や、インクの吐出量など）、両面印刷か片面印刷か、フチあり印刷かフチなし印刷か等の情報が含まれ、ページ数分繰り返すことも可能である。
【００７１】
画像形成設定データ５０４は、画像形成データ毎の設定に関する情報を識別可能なデータである。具体的には、例えば、画像形成データのデータサイズや幅や高さ、画像形成データのフォーマット等の情報が含まれる。
【００７２】
図４においては、基本印刷条件入力受付４０２で印刷部数、画質、用紙サイズ、用紙の種類を受付けられるよう設けられているが、画像形成装置１２０の種類や性能、用途に応じて他にも様々な条件が設定できるものとする。具体的には、例えば、プロファイルの種類、出力した用紙を鑑賞する環境の色温度、カラー／モノクロ印刷の選択、両面印刷の有無、割り付け印刷、余白、ヘッダやフッタの設定等が含まれる。
【００７３】
画像形成データ５０５は、画像データ３０２に基づいて生成されるデータであって、画像形成装置１２０で形成される画像の基となるデータである。画像形成データ５０５は、例えば画像データ３０２に示されるような「１の画像」を、画像形成装置１２０で形成するための１または複数のデータ（図５では、画像形成データ５０５１乃至画像形成データ５０５８）によって構成されている。画像形成装置１２０は、これらの画像形成データ５０５に基づいて、図７の形成画像７０５１乃至７０５８に示されるような画像を形成することができる。また、画像形成データ５０５は画像を形成する順序が予め定められている。図７と対応する図５の画像形成データ５０５は、「イ、ロ、ハ、ニ、ホ、へ、ト、チ」の順番で画像が形成されるよう定められている。つまり、画像データ「５０５１、５０５２、５０５３、５０５４、５０５５、５０５６、５０５７、５０５８」の順で画像が形成されるよう定められている。このように、画像形成装置１２０は、特段変更がなければこの順番に従って画像を形成することになる。しかし、画像形成装置１２０は、印刷データの差替え個所の指定を受付けて、差替ジョブ５１０を受付けた場合には、印刷データの一部のデータの差替えや、スキップ、印刷順序の変更、余白の挿入等を行って、画像を形成する。このような印刷順序の決定等は、予め定められた条件や受付のタイミングに応じて決定（変更）される。
【００７４】
ジョブ終了データ５０６は、ジョブデータの終端を示すデータ（フッター）である。
【００７５】
図５（ｂ）は、差替ジョブ５１０の構成の一例を示した構成図である。
差替ジョブ５１０は、画像形成データ５０５に対応し、差替が可能な画像形成データ（第２のデータ）を含むデータである。
【００７６】
差替ジョブ開始データ５１１は、ジョブデータの先頭を示すデータ（ヘッダー）であって、ジョブを識別するＩＤなどを含む。
【００７７】
差替画像形成設定データ５１４は、差替ジョブ５１０毎の設定に関する情報を識別可能なデータである。具体的には、例えば、画像形成データ５０５のデータサイズや幅や高さ、画像形成データのフォーマット等の情報が含まれる。また、差替画像形成データ５１５の差替え対象となる画像形成データ５０５のうちどれであるかを識別するための情報が含まれる。
【００７８】
差替画像形成データ５１５は、対応する画像形成データ５０５と差替が可能な画像形成データ（第２のデータ）である。例えば、図５では、画像形成データ５０５７と差替画像形成データ５１５７とが対応関係にあり、データの差替えが可能である。例えば、図１０では、画像形成装置１２０は、画像形成データ５０５７に基づいて形成画像７０５７を、差替画像形成データ５１５７に基づいて形成画像１００５７を、それぞれ形成している。
【００７９】
差替ジョブ終了データ５１６は、差替ジョブデータの終端（フッター）を示すデータである。
【００８０】
図６は、印刷実施中の表示画面の一例を示した構成図である。
【００８１】
図６は、図４でユーザから印刷開始ボタン４０７の押下を受付けて、画像形成装置１２０で画像が実施されている間に、情報処理装置１１０の表示部２１０に表示される。
【００８２】
印刷実施表示画面６００は、画像形成装置１２０が画像の形成を実行中であることを示すとともに、ユーザがデータの差替えを希望する個所の指定を受付けるための表示画面である。
【００８３】
差替個所指定オブジェクト６０１は、画像形成データ５０５のうち、ユーザがデータの差替えを希望する画像形成データ５０５に対応する画像データ３０２の一部の指定を受付けるためのオブジェクトである。図６では、「イ」が画像形成データ５０５１、「ロ」が画像形成データ５０５２、「ハ」が画像形成データ５０５３、「ニ」が画像形成データ５０５４にそれぞれ対応している。また、「ホ」が画像形成データ５０５５、「へ」が画像形成データ５０５６、「ト」が画像形成データ５０５７、「チ」が画像形成データ５０５８にそれぞれ対応している。図６では「ト」の領域（画像形成データ５０５７の対応する領域）が指定されており、情報処理装置１１０は、ここをユーザのデータの差替えを希望する個所として受付ける。
【００８４】
形成完了領域表示オブジェクト６０２は、画像形成装置１２０が印刷ジョブ５００に基づいて画像形成した領域を識別可能に表示するためのオブジェクトである。図６では、「イ」の領域全域と「ロ」の領域の一部との画像形成が済んでいる旨を示している。
【００８５】
印刷速度設定受付オブジェクト６０３は、差替対象個所送信／編集開始ボタン６０４の押下を受付けて差替ジョブ５１０の元となる画像データ３０２編集を開始する際、画像の形成速度をどのように切替えるかの指示を、ユーザから受付けるオブジェクトである。
【００８６】
印刷速度設定受付オブジェクト６０３で、「印刷速度の減速はしない」との指示を受付けた場合には、差替対象個所送信／編集開始ボタン６０４の押下受付後もデフォルトの印刷速度のまま印刷を継続する。
【００８７】
印刷速度設定受付オブジェクト６０３で、「指定個所のデータ差替えが間に合わなくなった時点で減速する」との指示を受付けた場合、指定個所のデータ差替えが間に合わなくなった（差替限界となった）タイミングで、画像形成の速度を減速するよう、制御される。例えば、図６では、「ト」がユーザの差替えを希望する領域である。したがって、形成完了領域表示オブジェクト６０２の示す領域が、「ト」に達するまでに、差替ジョブ５１０（を受付けて、差替えができなければ、「差替えが間に合わなかった」として、印刷速度を低下する制御が実行される。
【００８８】
印刷速度設定受付オブジェクト６０３で、「差替データが送信完了するまで、印刷速度を減速する」との指示を受付けた場合、画像形成装置１２０が、差替対象の指定を受付けてから、差替ジョブ５１０を受付けるまで、印刷速度を低下する制御が実行される。
【００８９】
差替対象個所送信／編集開始ボタン６０４は、押下を受付けると、差替個所指定オブジェクト６０１で受付けたユーザが差替えを希望する個所を画像形成装置１２０に送信する。また、差替ジョブ５１０の元となる画像データ３０２を編集する画像編集画面３００（図９）を立ち上げる。
【００９０】
図７は、差替ジョブ５１０を受付けることなく、印刷ジョブ５００に基づいて、出力された出力物７００の一例を示した構成図である。
【００９１】
出力物７００は、画像形成装置１２０が、画像を形成するためのデータ（特に画像形成データ５０５や差替画像形成データ５１５）に基づいて、画像が形成されたシートである。
【００９２】
出力物７００は、少なくとも画像形成データ５０５に基づいて画像が形成された領域と、余白７０１とから形成されている。
【００９３】
余白７０１は、外周縁を含む形成された画像の外周縁や、形成画像７０５４と７０５５との境界部分に設けられている。
【００９４】
形成画像７０５１乃至７０５８は、画像形成データ５０５１乃至５０５８に基づいて画像形成装置１２０が、形成した画像である。点線で示されるＡ乃至Ｇは、各形成画像の境界線を示している。また、「イ」乃至「チ」は、形成画像７０５１乃至７０５８に対応している。
【００９５】
太線の矢印は、画像形成装置１２０で画像が形成される順序を示している。図７では、形成画像７０５１の上部から順次画像が形成され、形成画像７０５８の下部にて、画像の形成が終了することを示している。
【００９６】
図８は、図７の出力物７００の形成画像を重ね合わせて用いる際の一例を示した構成図である。
【００９７】
図７・図８は、いわゆるポスター印刷の一例を示したものである。ポスター印刷は、大判の広告用途の大きなサイズの出力物を得る目的で、長尺紙を用いて印刷されることが多いが、この実施例はあくまで一例に過ぎず、シートの形式やサイズを問わず様々な大きさの印刷物に適用可能である。本発明に用いるシートは、これらの図の例のように長尺には限定されず、定型や非提携サイズであっても構わない。
【００９８】
図８（ａ）は、出力物７００の形成画像を重ね合わせの対応の一例を示した構成図である。
【００９９】
形成画像８０１は、出力物７００のうち、図７の形成画像７０５１乃至７０５４を切り出した部位である。
【０１００】
形成画像８０２は、出力物７００のうち、図７の形成画像７０５５乃至７０５８を切り出した部位である。
【０１０１】
固着面８０３は、形成画像８０１と形成画像８０２とを重ね合わせて固着させるための糊代部分で、糊や接着剤といった固着剤が塗布される領域である。したがって、固着面８０３に対応する個所である、形成画像８０１のα´β´σ´γ´で囲われる領域と、形成画像８０２のαβσγで囲われる領域とは、各々同じ画像が形成されている。
【０１０２】
図８（ｂ）は、図８（ａ）において形成画像同士が、固着面８０３で重ね合わされた状態の一例を示した構成図である。図８（ｂ）では、「イ」の一部と「ホ」の一部とが、「ロ」の一部と「へ」の一部とが、「ハ」の一部と「ト」の一部とが、「ニ」の一部と「チ」の一部とが、それぞれ固着面８０３部分で重ね合わされている。
【０１０３】
図８（ｃ）は、図８（ｂ）のＸ−Ｘ´断面図である。
【０１０４】
図８（ｃ）は、形成画像８０１と形成画像８０２とが、固着面８０３で重ね合わされた状態を示している。
【０１０５】
図９は、差替画像形成データ５１５の元となる画像データ３０２を編集する際の、画像編集画面３００の一例を示した構成図である。
【０１０６】
差替情報パレット９０１は、差替え編集に係る様々な情報やオブジェクトを表示するオブジェクトである。
【０１０７】
時間残表示部９０２は、差替ジョブ５１０を生成するための元となる画像データ３０２の編集のために残された時間を表示する領域である。「差替限界」は、画像形成装置１２０が、差替個所指定オブジェクト６０１で受付けた個所に対応する、差替ジョブ５１０を受付けて、差替画像形成データ５１５の差替えを行なうことのできる予想タイムリミットを示している。例えば、図９では、形成完了領域表示オブジェクト６０２が、差替指定個所９０５に達するまでの予想時間から、差替ジョブ５１０の送信と差替画像形成データ５１５の差替えに必要な予想時間を差引いた時間が、「差替限界」として設定されている。
【０１０８】
差替限界は、印刷速度設定受付オブジェクト６０３で「差替データが送信完了するまで、印刷速度を減速する」が選択された場合、そうでない場合と比較して印刷速度が遅くなるため、上記以外の選択がなされた場合よりも長くなる。つまり、印刷速度を遅くすることで、差替ジョブ５１０を生成するための元の画像データ３０２の編集のための時間を、稼ぐことができるのである。
【０１０９】
「印刷完了残」は、画像形成装置１２０で、印刷ジョブ５００に基づく画像の形成が終わるまでの予想時間を示している。例えば、図１０（ａ）や、図１４（ａ）、図１４（ｂ）では、「チ」の画像形成が完了するまでの予想時間から、差替ジョブ５１０の送信と差替画像形成データ５１５の差替えに必要な予想時間を差引いた時間が、「印刷完了残」として設定されている。
【０１１０】
「印刷完了残」は、印刷速度設定受付オブジェクト６０３で「差替データが送信完了するまで、印刷速度を減速する」か「指定個所のデータ差替えが間に合わなくなった時点で減速する」かが選択された場合には、そうでない場合と比較して印刷速度が遅くなる。そのため、上記以外の選択がなされた場合よりも長くなる。つまり、印刷速度を遅くすることで、差替ジョブ５１０の元となる画像データ３０２の画像を編集のための時間を、稼ぐことができるのである。
【０１１１】
図９の状態で、差替ジョブ５１０の送信が実行されると、差替限界がまだゼロではないので、「差替ジョブ」が間に合うことになる。そして、間合う条件設定４０３に基づく画像形成の順序の決め方に従って、画像形成が実施されることとなる。間に合わなかった（差替限界がゼロになった）場合については、図１３にて後述する。
【０１１２】
差替データ送信ボタン９０３は、画像編集画面３００で編集した画像データ３０２に基づいて、差替ジョブ５１０を生成し送信するための指示を、ユーザから受付けるためのオブジェクトである。このボタンの押下を通じて生成される差替ジョブ５１０には、差替個所指定オブジェクト６０１で受付けた、画像形成データ５０５に対応する差替画像形成データ５１５が含まれている。
【０１１３】
印刷実施表示画面呼出ボタン９０４は、ユーザがデータの差替えを希望する個所の追加・変更を実施するべく、印刷実施表示画面６００を表示させる指示を、ユーザから受付けるためのオブジェクトである。
【０１１４】
差替指定個所９０５は、差替個所指定オブジェクト６０１で受付けた領域を、ユーザに識別可能に表示するオブジェクトである。この図９では、図６でユーザに指定された「ト」に対応する個所に表示されている。
【０１１５】
図１０は、印刷ジョブ５００と差替ジョブとに基づいて、出力された出力物７００の一例を示した構成図である。
【０１１６】
図１０（ａ）は、長尺用紙の出力物７００の一例を示した構成図である。図１０（ａ）は、図４の間合う条件設定４０３、または間合わない条件設定４０４の「元データと差替データとの両方を印刷する」に対応する出力結果の一例を示している。
【０１１７】
図１０（ａ）では、初めに印刷ジョブ５００に基づく画像（形成画像８０１と形成画像８０２）が形成されていて、その後に差替ジョブ５１０に基づく画像（形成画像１００５７）が形成されている。
【０１１８】
間合う条件設定４０３「元データと差替データとの両方を印刷する」に対応する出力結果であった場合の出力のプロセスは、差替限界がゼロとなる前に、差替ジョブ５１０を受付ける。  まず、印刷ジョブ５００に基づく画像の形成中に、情報処理装置１１０に表示された差替個所指定オブジェクト６０１を介して、ユーザがデータの差替えを希望する個所として、「ト」（画像形成データ５０５７）の指定を受付ける。次に、図９にて編集された画像データか３０２から生成された、「ト´」（差替画像形成データ５１５７）を含む差替ジョブ５１０を受付ける。そして、印刷ジョブ５００に基づく画像の形成が終了した後、画像の形成に関連する動作を止めることなく、差替ジョブ５１０に基づく画像が続けて形成される。このようなプロセスを経て、１枚の長尺紙に「イ、ロ、ハ、ニ、ホ、へ、ト、チ、ト´」の順番で、画像が形成されている。
間合わない条件設定４０４「元データと差替データとの両方を印刷する」に対応する出力結果であった場合の出力のプロセスは、以下の通りである。
【０１１９】
まず、印刷ジョブ５００に基づく画像の形成中に、情報処理装置１１０に表示された差替個所指定オブジェクト６０１を介して、ユーザがデータの差替えを希望する個所として、「ト」（画像形成データ５０５７）の指定を受付けている。次に、差替限界がゼロとなる。
そして、図９にて編集された画像データか３０２から生成された、「ト´」（差替画像形成データ５１５７）を含む差替ジョブ５１０を受付ける。そして、印刷ジョブ５００に基づく画像の形成が終了した後、印刷完了残がゼロでなければ、画像の形成に関連する動作を止めることなく、差替ジョブ５１０に基づく画像が続けて形成される。上記で印刷完了残がゼロの場合に、印刷完了残ゼロ時停止指示オブジェクト４０６にチェックがついていれば、Ｈのラインまで画像形成が進んだ時点で印刷を一時停止し、差替ジョブ５１０を受付けた際に「ト´」の画像形成を再開する。
【０１２０】
このようなプロセスを経て、１枚の長尺紙に「イ、ロ、ハ、ニ、ホ、へ、ト、チ、ト´」の順番で、画像が形成される。
【０１２１】
「画像の形成に関連する動作」について補足する。
は、画像形成装置１２０の構成に応じて画像形成を実施する際に必要な様々な動作を含むものとする。例えば、インクジェットプリンタであれば、用紙送り、インクヘッド送り、インク吐出、等やそれらの制御が含まれる。また、レーザープリンタであれば、用紙送り、ヒーターの通電、冷却パーツの駆御、トナーの吐出等やそれらの制御が含まれる。また、サーマルプリンタであれば、用紙送り、ヒーターの通電等やそれらの制御が含まれる。
【０１２２】
トンボ１００１は、「ト」に対応する場所（形成画像７０５７）に、「ト´」（形成画像１００５７）を重ねて貼り合わせるための目印である。つまり、第１のデータに基づいて形成される画像（形成画像７０５７）と前記第２のデータに基づいて形成される画像（形成画像１００５７）とを重ね合わせるための目印である。
【０１２３】
形成画像１００５７は、差替ジョブ５１０に含まれる差替画像形成データ５１５７に基づいて形成された画像である。
【０１２４】
図１１では、トンボ１００１は、ト´の四隅に対応する位置が分かるように印字されている。目印のデザインについては特別問わないが、線や線の交点で表現するほか、ドット「・」を打つ、矢印「→」や三角「△」で指し示す、星「★」等のマークを入れる等の方法が含まれる。
【０１２５】
図１０（ｂ）は、長尺用紙の出力物７００の一例を示した構成図である。図１０（ｂ）は、図４の間合う条件設定４０３の「元データの指定個所と差替データとを差替えて印刷する」に対応する出力結果の一例を示している。
【０１２６】
図１０（ｂ）では、「ト」（画像形成データ５０５７）が差替画像形成データ５１５７に差替えられた印刷ジョブ５００に基づく画像（形成画像８０１と形成画像８０２）が、形成されている。
【０１２７】
図１０（ｂ）の出力のプロセスは、以下の通りである。まず、印刷ジョブ５００に基づく画像（形成画像８０１と形成画像８０２）の形成が開始される。次に、印刷ジョブ５００に基づく画像の形成中に、情報処理装置１１０に表示された差替個所指定オブジェクト６０１を介して、ユーザがデータの差替えを希望する個所として、「ト」（画像形成データ５０５７）の指定を受付ける。そして、「ト」の画像形成が開始される前に、「図９にて編集された画像データか３０２から生成された、「ト´」（差替画像形成データ５１５７）を含む差替ジョブ５１０を受付ける。最後に、「ト」（画像形成データ５０５７）と「ト´」（差替画像形成データ５１５７）とのデータ差替えが実施され、残りの画像が形成される。このようなプロセスを経て、１枚の長尺紙に「イ、ロ、ハ、ニ、ホ、へ、ト´、チ」の順番で、画像が形成されている。
【０１２８】
図１０（ｂ）では、「ト」を「ト´」に差替えた画像が形成されているため、図１０（ａ）「ト」に「ト´」を重ねて貼り付ける必要がない。したがって、このようなケースでは、トンボ１００１は印字しなくともよい。
【０１２９】
図１１は、図１０（ａ）の出力物７００の形成画像を重ね合わせて用いる際の一例を示した構成図である。
【０１３０】
図１１（ａ）は、図１０（ａ）の出力物７００の形成画像を重ね合わせの対応の一例を示した構成図である。
【０１３１】
図１１（ａ）は、図１０（ａ）の出力物７００から切離された形成画像１００５７が、トンボ１００１を目印として、形成画像７０５７に重ねて貼り合わされている形成画像８０２一例を示した構成である。つまり、「ト」の甲´乙´丙´丁´の各点に、「ト´」の「甲乙丙丁」が、重ねて貼合わされた状態である。
【０１３２】
図１１（ｂ）は、図１１（ａ）の形成画像８０２（重ね貼りした形成画像１００５７含む）と図１０（ａ）の形成画像８０１とが、固着面８０３の部分で重なるようにて固着されている状態の一例を示した構成図である。
【０１３３】
図１１（ｃ）は、図１１（ｂ）のＸ−Ｘ´断面図である。
【０１３４】
図１２は、図１０（ｂ）の出力物７００の形成画像を重ね合わせて用いる際の一例を示した構成図である。
【０１３５】
図１２（ａ）は、出力物７００の形成画像を重ね合わせの対応の一例を示した構成図である。
【０１３６】
形成画像１２０１は、出力物７００から、図１０（ｂ）の形成画像７０５５、７０５６、１００５７、７０５８を一体で切り出した部位である。
【０１３７】
形成画像８０１に重ね合わせる部位が、形成画像８０２ではなく形成画像１２０１である点以外は、図８（ａ）に準ずる構成である。
【０１３８】
図１２（ｂ）は、図１２（ａ）において形成画像同士が、固着面８０３で重ね合わされた状態の一例を示した構成図である。形成画像８０１に重ね合わせる部位が、形成画像８０２ではなく形成画像１２０１である点以外は、図８（ｂ）に準ずる構成である。
【０１３９】
図１２（ｃ）は、図１２（ｂ）のＸ−Ｘ´断面図である。
【０１４０】
図１２（ｃ）は、形成画像８０１と形成画像１２０１とが、固着面８０３で重ね合わされた状態を示している。
【０１４１】
図１３は、差替ジョブ５１０を編集する際の画像編集画面３００の一例を示した構成図である。
【０１４２】
図１３と図９との違いは、時間残表示部９０２に示される通り、「差替限界」が「００：００」となっている点で、この図では、形成完了領域表示オブジェクト６０２が示す通り、画像の形成が、差替指定個所９０５の後まで進んでいる。
【０１４３】
画像形成装置１２０は、図１３の状態で、情報処理装置１１０から差替ジョブ５１０を受付けると、間合わない条件設定４０４に基づく画像形成の順序に従って、画像形成を実施する。
【０１４４】
図１４は、印刷ジョブ５００と差替ジョブ５１０とに基づいて、出力された出力物７００の一例を示した構成図である。
【０１４５】
図１４（ａ）は、長尺用紙の出力物７００の一例を示した構成図である。
【０１４６】
図１４（ａ）は、長尺用紙の出力物７００の一例を示した構成図である。図４の間合わない条件設定４０４の「元データの指定個所をスキップし、差替データを印刷する」に対応する出力結果の一例を示している。
【０１４７】
図１４（ａ）では、初めに「ト」をスキップした（省いた）印刷ジョブ５００に基づく画像（形成画像８０１と形成画像８０２）が形成されていて、その後に差替ジョブ５１０に基づく画像（形成画像１００５７）が形成されている。
【０１４８】
図１４（ａ）の出力のプロセスは、以下の通りである。まず、印刷ジョブ５００に基づく画像（形成画像８０１と形成画像８０２）の形成が開始される。次に、差替限界がゼロになる。
そして、「ト」がスキップされ、印刷ジョブ５００に基づく画像形成が継続される。つまり、「へ」が印刷（画像形成）された後、続いて「チ」が印刷される。
そして、画像形成がＧ´に至るまでに差替ジョブ５１０を受付ける。そして、印刷ジョブ５００に基づく画像の形成が終了した後（「チ」の画像形成の終わった後）、画像の形成に関連する動作を止めることなく、差替ジョブ５１０に基づく画像（「ト´」）が、続けて形成されている。なお、画像形成がＧ´に至るまでに差替ジョブ５１０を受付けられず、Ｇ´に至った場合には、差替ジョブ５１０を受付けるまでＧ´で、画像形成を一時停止し、受付後に画像形成を再開することも可能である。
【０１４９】
このようなプロセスを経て、１枚の長尺紙に「イ、ロ、ハ、ニ、ホ、へ、チ、ト´」の順番で、画像が形成されている。また、スキップした場所（「へ」と「チ」との間）には、余白が設けられている）
図１４（ｂ）は、長尺用紙の出力物７００の一例を示した構成図である。
【０１５０】
図１４（ｂ）は、長尺用紙の出力物７００の一例を示した構成図である。図４の間合わない条件設定４０４の「元データの指定個所に余白を設け、差替データを印刷する」に対応する出力結果の一例を示している。
【０１５１】
図１４（ｂ）では、「ト」の画像形成をせずに対応する領域に余白を設ける形で印刷ジョブ５００に基づく画像（形成画像８０１と形成画像８０２）が形成されていて、その後に差替ジョブ５１０に基づく画像（形成画像１００５７）が形成されている。
【０１５２】
図１４（ｂ）の出力のプロセスは、以下の通りである。まず、印刷ジョブ５００に基づく画像（形成画像８０１と形成画像８０２）の形成が開始される。次に、差替限界がゼロになる。そして、「ト」に対応する領域に、余白１４０５７が設けられ、印刷ジョブ５００に基づく画像形成が継続される。つまり、「へ」が印刷（画像形成）された後、「ト」に対応する余白が設けられ、続いて「チ」が印刷される。そして、画像形成がＨ´に至るまでに差替ジョブ５１０を受付ける。そして、印刷ジョブ５００に基づく画像の形成が終了した後（「チ」の画像形成の終わった後）、画像の形成に関連する動作を止めることなく、差替ジョブ５１０に基づく画像（「ト´」）（形成画像１００５７）が、続けて形成される。なお、画像形成がＨ´に至るまでに差替ジョブ５１０を受付けられず、Ｈ´に至った場合には、差替ジョブ５１０を受付けるまでＨ´で、画像形成を一時停止し、受付後に画像形成を再開することも可能である。
【０１５３】
図１４（ｂ）の図１４（ａ）との違いは、「へ」と「チ」との間の余白のとり方である。「ト」に対応する領域の分だけ、余白１４０５７を設けている点である。このように設けることで、出力物７００から切出した「ト´」（形成画像１００５７）を、トンボ１００１に合わせて容易に重ね合わせて貼ることができる。
【０１５４】
図１５は、本実施の形態における画像形成処理に関するフローの一例を示した構成図である。
【０１５５】
本時実施例の各図のフローの説明においては、具体的には、ＣＰＵ２０１が外部メモリに記憶された制御プログラムをＲＡＭ２０３にロードして実行することにより行われるものである。しかし、簡易な表現とすべく情報処理装置１１０、画像形成装置１２０を主体として説明する。
【０１５６】
また、ユーザからの指示の受付は、特に限定されるものではなく、既存の方法を用いることができるものとする。具体的には、例えば、入力デバイス２０９（ＫＢ／ボタン／タッチパネル等）や表示端末（表示部）２１０を介して受けつける方法が含まれる。
【０１５７】
ステップＳ１５０１では、情報処理装置１１０は、画像編集画面３００と入力デバイス２０９を介して、ユーザから画像データ３０２の編集作業を受付ける。
【０１５８】
ステップＳ１５０２では、情報処理装置１１０は、印刷条件設定画面４００を介して、
画像形成装置１２０に画像データ３０２に基づく印刷（画像形成）を実行させるための様々な指示を受け付けつける。受付ける指示には、基本印刷条件入力受付４０２、間合う条件設定４０３、間合わない条件設定４０４、印刷完了残ゼロ時停止指示オブジェクト４０６、トンボ付加チェックボックス４０５で受付け可能な指示が含まれる。また、画像データ３０２に基づいて画像形成装置１２０に画像を形成させるための指示を、印刷開始ボタン４０７を介して受付ける。
【０１５９】
ステップＳ１５０３では、情報処理装置１１０は、ステップＳ１５０２で、ユーザから画像形成装置１２０に印刷（画像形成）を実行させるための指示を受け付けつけたか否かを判定する。図４の場合、印刷開始ボタン４０７の押下を受付けたか否かで判定する。
【０１６０】
そして、情報処理装置１１０が、受付けたと判定した場合には、ステップＳ１５０４に遷移する。
【０１６１】
一方、情報処理装置１１０が、受付けたと判定しなかった場合には、ステップＳ１５０１に遷移する。
【０１６２】
ステップＳ１５０４では、情報処理装置１１０は、画像形成装置１２０に、画像データ３０２と印刷条件設定画面４００を介して受付けた各種条件とに基づいて、印刷（画像形成）を実行させるための印刷命令（印刷ジョブ５００）を生成し、送信する。
【０１６３】
本実施例では印刷ジョブ５００に基づいて印刷命令を出しているが、画像形成装置１２０で画像を形成させるための印刷データに基づいて印刷（画像形成）を実行させるための指示を出せる方法であれば、特段方法は問わない。
【０１６４】
ステップＳ１５０５では、画像形成装置１２０は、ステップＳ１５０４で送信された印刷ジョブ５００を受信する。（印刷命令、第１のデータの受付）
ステップＳ１５０６では、画像形成装置１２０は、ステップＳ１５０５で受付けた印刷ジョブ５００に基づいて画像の形成（印刷）を、実行する。（第１のデータに基づく画像の形成）。このステップでは、画像形成データ５０５の一部の印刷順序が変更したり、余白を設けたり、スキップしたりした印刷ジョブ５００に基づく画像形成も、実行可能である。また、差替ジョブ５１０に基づく画像形成も、実行可能である。
【０１６５】
ステップＳ１５０７では、画像形成装置１２０は、情報処理装置１１０に、ステップＳ１５０６で実行している画像形成の進捗状況を、通知する。
【０１６６】
通知内容は、例えば、図６の形成完了領域表示オブジェクト６０２のように、画像形成の進捗状況が分かるような情報が含まれれる。ことが好ましい。また、差替限界・印刷完了残やその関連情報も、含まれる。
【０１６７】
ステップＳ１５０８では、情報処理装置１１０は、ステップＳ１５０７で画像形成装置１２０から送信された画像の形成の進捗状況を、受信して表示部２１０に表示する。
【０１６８】
ここで表示される画面は、進捗状況に応じて異なる。
【０１６９】
例えば、差替え個所の指定のない状態、図９の印刷実施表示画面呼出ボタン９０４の押下を受付けた状態であれば、図６の画面を表示する。そして、形成完了領域表示オブジェクト６０２によって画像形成（印刷）の進捗状況を表示する。
【０１７０】
また、差替ジョブ５１０の元となる画像データ３０２を編集している状態であれば、図９や図１３の画面を表示する。
【０１７１】
ステップＳ１５０９では、情報処理装置１１０は、図６の画面が表示されている場合には、差替個所指定オブジェクト６０１を介して差替えを実施したい個所の指定を受付ける。
【０１７２】
また、差替個所指定オブジェクト６０１が図９や図１３の画面に、設けられている場合（不図示）にも、図９や図１３の画面が表示されている場合にも、差替個所指定オブジェクト６０１を介して差替えを実施したい個所の指定を受付ける。
【０１７３】
ステップＳ１５１０では、情報処理装置１１０は、ステップＳ１５０９にて差替個所指定オブジェクト６０１を介して差替えを実施したい個所の指定を、受付けたか否かの判定を行う。
【０１７４】
そして、情報処理装置１１０は、受付けたと判定した場合には、ステップＳ１５１１に遷移する。
【０１７５】
一方、情報処理装置１１０は、受付けたと判定しなかった場合には、ステップＳ１５２４に遷移する。
【０１７６】
ステップＳ１５１１では、情報処理装置１１０は、画像形成装置１２０に、ステップＳ１５０９で差替個所指定オブジェクト６０１を介して受付けた差替えを実施したい個所の指定を送信する。また、情報処理装置１１０は、画像形成装置１２０に、印刷速度設定受付オブジェクト６０３で受付けた差替ジョブ５１０生成の元となる画像データ３０２の編集時の印刷速度の設定についても、併せて送信する。
【０１７７】
ステップＳ１５１２では、画像形成装置１２０は、ステップＳ１５１１で情報処理装置１１０から送信された差替えを実施したい個所の指定や差替ジョブ５１０生成の元となる画像データ３０２編集時の印刷速度の設定を、受信する。
【０１７８】
ステップＳ１５１３では、画像形成装置１２０は、ステップＳ１５１２で受信した印刷速度の設定に基づいて、画像形成の速度（印刷速度）の変更が必要か否かを判定する。
【０１７９】
そして、画像形成装置１２０は、画像形成の速度（印刷速度）の変更が必要であると判定した場合には、ステップＳ１５１４に遷移する。
【０１８０】
一方、画像形成装置１２０は、画像形成の速度（印刷速度）の変更が必要であると判定しなかった場合には、ステップＳ１５１９に遷移する。
【０１８１】
ステップＳ１５１４では、画像形成装置１２０は、ステップＳ１５１２で受信した印刷速度の設定に基づいて、画像形成の速度（印刷速度）を変更する。
【０１８２】
ここで、ステップＳ１５１３とステップＳ１５１４について補足する。
【０１８３】
具体的には、この判定の時点で差替ジョブが既にある場合には、デフォルト値の印刷速度に変更する。したがって、デフォルト値の印刷速度より遅い速度設定になっている場合に、「画像形成の速度変更が必要」と判定される。そして、ステップＳ１５１４で印刷速度がデフォルト値の印刷速度に変更される。
【０１８４】
また、この判定の時点で差替ジョブがない場合には、ステップＳ１５１２で受信した印刷速度設定受付オブジェクト６０３で受付けた条件に応じて処理が変わる。
【０１８５】
印刷速度設定受付オブジェクト６０３で受付けた条件が、「印刷速度の減速はしない」または、「指定個所のデータ差替えが間に合わなくなった時点で減速する」であった場合には、ステップＳ１５１３で「画像形成の速度変更が必要」とは判定されない。一方、「差替データが送信完了するまで、印刷速度を減速する」であった場合には、ステップＳ１５１３で「画像形成の速度変更が必要」と判定される。そして、そして、ステップＳ１５１４で印刷速度がデフォルト値の印刷速度より遅い速度に変更される。
【０１８６】
ステップＳ１５１５では、情報処理装置１１０は、差替ジョブ５１０生成の元となる画像データ３０２の編集画面（図９や図１３）を表示部２１０に表示する。そして、画像編集画面３００を通じてユーザから差替ジョブ５１０を生成する際の元となる画像データ３０２の編集指示を、受付ける。
【０１８７】
ステップＳ１５１６では、情報処理装置１１０は、ステップＳ１５１５を通じて編集された画像データ３０２に基づいて、差替ジョブ５１０を生成し送信するための指示を、差替データ送信ボタン９０３を介してユーザから受付ける。
【０１８８】
ステップＳ１５１７では、情報処理装置１１０は、ステップＳ１５１６で差替ジョブ５１０を生成し送信するための指示を受付けたか否かの判定を行う。
【０１８９】
そして、情報処理装置１１０は、差替ジョブ５１０を生成し送信するための指示を受付けたと判定した場合には、ステップＳ１５１８に遷移する。
【０１９０】
一方、情報処理装置１１０は、差替ジョブ５１０を生成し送信するための指示を受付けたと判定しなかった場合には、ステップＳ１５２４に遷移する。
【０１９１】
ステップＳ１５１８では、情報処理装置１１０は、画像形成装置１２０に、ステップＳ１５１５を通じて編集された画像データ３０２に基づいて、差替ジョブ５１０（差替えデータを含む）を生成し送信する。この際、差替データ送信ボタン９０３の押下を受けつ得た際の、差替限界・印刷完了残に関する情報を併せて送信してもよい。
【０１９２】
ステップＳ１５１９では、画像形成装置１２０は、ステップＳ１５１８で情報処理装置１１０から送信された、差替ジョブ５１０を受信する。
【０１９３】
ステップＳ１５２０では、画像形成装置１２０は、ステップＳ１５１２で受付けた差替えを実施したい個所に対応する差替ジョブ５１０があるか否かの判定を行う。
【０１９４】
そして、画像形成装置１２０は、差替えを実施したい個所に対応する差替ジョブ５１０があると判定した場合には、ステップＳ１５２１−１に遷移する。
【０１９５】
一方、画像形成装置１２０は、差替えを実施したい個所に対応する差替ジョブ５１０があると判定しなかった場合には、ステップＳ１５２１−２に遷移する。
【０１９６】
ステップＳ１５２１−１では、画像形成装置１２０は、差替えを実施したい個所に対応する差替ジョブ５１０に関連する処理を行う。この処理の詳細については、図１６にて後述する。
【０１９７】
ステップＳ１５２１−２では、画像形成装置１２０は、差替えを実施したい個所に対応する差替ジョブ５１０がない場合の処理を行う。この処理の詳細については、図２０にて後述する。
【０１９８】
ステップＳ１５２２では、画像形成装置１２０は、ステップＳ１５０６で実施されている印刷（画像形成）の処理が終了したか否かの判定を行う。
【０１９９】
そして、画像形成装置１２０は、終了したと判定した場合には、ステップＳ１５２３に遷移する。
【０２００】
一方、画像形成装置１２０は、終了したと判定しなかった場合には、ステップＳ１５０５に遷移する。
【０２０１】
ステップＳ１５２３では、画像形成装置１２０は、印刷（画像形成）が終了した旨の通通知を、情報処理装置１１０に送信する。
【０２０２】
ステップＳ１５２４では、情報処理装置１１０は、ステップＳ１５２３で画像形成装置１２０から送信された印刷（画像形成）が終了した旨の通知を、受信する。
【０２０３】
ステップＳ１５２５では、情報処理装置１１０は、ステップＳ１５２４で印刷（画像形成）が終了した旨の通知を、受信したか否かの判定を行う。
【０２０４】
そして、情報処理装置１１０は、印刷（画像形成）が終了した旨の通知を、受信したと判定した場合には、フローを終了する。
【０２０５】
一方、情報処理装置１１０は、印刷（画像形成）が終了した旨の通知を、受信したと判定しなかった場合には、ステップＳ１５０８に遷移する。
【０２０６】
図１６は、ステップＳ１５２１−１の差替え関連処理のサブフローの一例を示した構成図である。
【０２０７】
図１６（ａ）は、ステップＳ１５２１−１のメインフローである。
【０２０８】
ステップＳ１６０１では、画像形成装置１２０は、差替限界がゼロであるか否か（ステップＳ１５１９で受付けた差替ジョブ５１０の差替えが間に合うか否か）の判定を行う。
【０２０９】
そして、画像形成装置１２０は、差替限界がゼロである（ステップＳ１５１９で受付けた差替ジョブ５１０の差替えが間に合わない）と判定した場合には、ステップＳ１６０３に遷移する。
【０２１０】
一方、画像形成装置１２０は、差替限界がゼロである（ステップＳ１５１９で受付けた差替ジョブ５１０の差替えが間に合わない）と判定しなかった場合には、ステップＳ１６０２に遷移する。
【０２１１】
ステップＳ１６０２では、画像形成装置１２０は、差替限界がゼロである（ステップＳ１５１９で受付けた差替ジョブ５１０の差替えが間に合わない）と判定しなかった場合の処理を、実施する。詳細は図１６（ｂ）にて後述する。
【０２１２】
ステップＳ１６０３では、画像形成装置１２０は、印刷完了残がゼロであるか否かの判定を行う。
【０２１３】
そして、画像形成装置１２０は、印刷完了残がゼロであると判定した場合には、ステップＳ１６０５に遷移する。  一方、画像形成装置１２０は、印刷完了残がゼロである（ステップＳ１５１９で受付けた差替ジョブ５１０の差替えが間に合わない）と判定しなかった場合には、ステップＳ１６０４に遷移する。
【０２１４】
ステップＳ１６０４では、画像形成装置１２０は、印刷完了残がゼロであると判定しなかった場合の処理を、実施する。詳細は図１６（ｂ）にて後述する。
【０２１５】
ステップＳ１６０５では、画像形成装置１２０は、画像形成データ５０５と差替画像形成データ５１５とのデータの差替えを行う。画像形成データ５０５は、ステップＳ１５１２で受付けた「ユーザがデータの差替えを希望する個所」の画像形成データ５０５である。差替画像形成データ５１５は、ステップＳ１５１９で受付けた差替ジョブ５１０に含まれる差替画像形成データ５１５である。そして、画像形成データ５０５に対応する差替画像形成データ５１５である。
【０２１６】
ステップＳ１６０６では、画像形成装置１２０は、ステップＳ２００５で実施された、「差替データを受け付けるまで、ステップＳ１５０６での画像形成処理を一時停止」する処理を解除し、ステップＳ１５０６での画像形成処理を再開する処理を行う。
【０２１７】
図１６（ｂ）は、ステップＳ１６０２のサブフローであり、「差替限界がゼロでない場合の処理」の一例を示した構成図である。
【０２１８】
ステップＳ１６１１では、画像形成装置１２０は、ステップＳ１５０５で受付けた「間合う条件設定４０３」で定められた条件に従って、「元データ」も印刷するか否かの判定を行う。
【０２１９】
ここで言う「元データ」とは、差替個所指定オブジェクト６０１で受付けた、ユーザがデータの差替えを希望する個所に対応する画像形成データ５０５のことである。例えば、図６や図５では、「ト」（画像形成データ５０５７）が「元データ」にあたる。
【０２２０】
そして、画像形成装置１２０は、印刷すると判定した場合にはステップＳ１６１２に遷移する。
【０２２１】
一方、画像形成装置１２０は、印刷すると判定した場合にはステップＳ１６１３に遷移する。
【０２２２】
ステップＳ１６１２では、画像形成装置１２０は、ステップＳ１５０５で受付けた「間合う条件設定４０３」の条件「元データと差替データとの両方を印刷する」に従って、画像形成データ５０５と差替画像形成データ５１５との印刷順序を決定する。この条件に基づくと、印刷ジョブ５００に基づく元の順序「イ、ロ、ハ、ニ、ホ、ヘ、ト、チ」で印刷を行った後、差替画像形成データに基づく画像を形成する順序となる。つまり、図５の印刷ジョブと差替ジョブに基づく場合、図５に基づくとステップＳ１５０６で実行される画像形成（印刷）の順序は「イ、ロ、ハ、ニ、ホ、へ、ト、チ、ト´」となる。そして、図１０（ａ）のような出力物７００が出力されることになる。
【０２２３】
ステップＳ１６１３では、画像形成装置１２０は、ステップＳ１５０５で受付けた間合う条件設定４０３の条件「元データの指定個所と差替データとを差替えて印刷する」に従い、画像形成データ５０５と差替画像形成データ５１５との印刷順序を決定する。
【０２２４】
ステップＳ１６１３は、「元データ」は印刷しないパターンの処理フローである。したがって、ステップＳ１５１２で受付けた「ユーザがデータの差替えを希望する個所」の画像形成データ５０５と対応する差替画像形成データ５１５とのデータの差替えた上で、印刷ジョブ５００に基づく元の順序に基づいて印刷する（画像を形成する）ことになる。
【０２２５】
つまり、図５の印刷ジョブと差替ジョブに基づく場合、ステップＳ１５０６で実行される画像形成（印刷）の順序は「イ、ロ、ハ、ニ、ホ、へ、ト´、チ」となる。そして、図１０（ｂ）のような出力物７００が出力されることになる。
【０２２６】
ステップＳ１６１４では、画像形成装置１２０は、ステップＳ１５１２で受付けた「ユーザがデータの差替えを希望する個所」の画像形成データ５０５と対応する差替ジョブ５１０に含まれる差替画像形成データ５１５とのデータの差替えを行う。つまり、図５の印刷ジョブ５００と差替ジョブ５１０に基づく場合には、「ト」と「ト´」の差替えを行う。
【０２２７】
上記にも述べた本実施例の「差替え」とは、印刷ジョブ５００の「ト」（画像形成データ５０５７）の「ト´（差替画像形成データ５１５７）」への上書きである。しかし、「差替え」前の印刷ジョブ５００を基に、「差替え」後の印刷ジョブ５００を新たに生成しても構わない。
【０２２８】
ステップＳ１６１５では、画像形成装置１２０は、ステップＳ１５１２で受付けた「トンボ付加チェックボックス４０５」の条件に従って、トンボ１００１を付加するか否かの判定を行う。
【０２２９】
そして、画像形成装置１２０は、トンボ１００１を付加すると判定した場合には、ステップＳ１６１６に遷移する。
【０２３０】
一方、画像形成装置１２０は、トンボ１００１を付加すると判定しなかった場合には、フローを終了する。
【０２３１】
ステップＳ１６１６では、画像形成装置１２０は、ユーザがデータの差替えを希望する個所」の画像形成データ５０５と対応する位置が分かるよう、ステップＳ１５０６で図１０（ａ）に示されるようなトンボ１００１を画像形成する印刷設定にする。
【０２３２】
図１６（ｃ）は、ステップＳ１６０４のサブフローであり、「印刷完了残がゼロでない場合の処理」の一例を示した構成図である。
【０２３３】
ステップＳ１６２１では、画像形成装置１２０は、ステップＳ１５１２で受付けた印刷速度設定受付オブジェクト６０３の条件に従って、画像形成の速度（印刷速度）を、変更する必要があるか否かの判定を行う。
【０２３４】
そして、画像形成装置１２０は、画像形成の速度（印刷速度）を変更する必要があると判定した場合には、ステップＳ１６２２に遷移する。
【０２３５】
具体的には、例えば、ステップＳ１５１２で受信した印刷速度設定受付オブジェクト６０３で受付けた条件が、「指定個所のデータ差替えが間に合わなくなった時点で減速する」であった場合に、「変更する必要がある」と判定される。
【０２３６】
一方、画像形成装置１２０は、画像形成の速度（印刷速度）を変更する必要があると判定しなかった場合には、ステップＳ１６２３に遷移する。
【０２３７】
ステップＳ１６２２では、画像形成装置１２０は、印刷の速度（画像形成の速度）を、通常の速度（デフォルト値の印刷速度）よりも遅くする処理を行う。
【０２３８】
ステップＳ１６２３では、画像形成装置１２０は、画像形成装置１２０は、ステップＳ１５０５で受付けた「間合わない条件設定４０４」で定められた条件に従って、「元データ」も印刷するか否かの判定を行う。
【０２３９】
そして、画像形成装置１２０は、元データも印刷すると判定した場合にはステップＳ１６２４に遷移する。具体的には、例えば、間合わない条件設定４０４で「元データと差替データとの両方を印刷する」が選択されていた場合には、「元データも印刷する」と判定する。
【０２４０】
一方、画像形成装置１２０は、元データも印刷すると判定しなかった場合にはステップＳ１６２５に遷移する。
【０２４１】
ステップＳ１６２４では、画像形成装置１２０は、ステップＳ１５０５で受付けた、間合わない条件設定４０４で定められた条件に従って、画像形成データ５０５と差替画像形成データ５１５との印刷順序を決定する。このステップでは、印刷ジョブ５００に基づく元の順序で印刷を行った後、差替画像形成データに基づく画像を形成する順序となる。つまり、ステップＳ１６１２と同じ印刷順序である。したがって、図５の印刷ジョブ５００と差替ジョブ５１０とに基づく場合、ステップＳ１５０６で実行される画像形成（印刷）の順序は「イ、ロ、ハ、ニ、ホ、へ、ト、チ、ト´」となり、図１０（ａ）のような出力物７００が出力されることになる。
【０２４２】
ステップＳ１６２５では、画像形成装置１２０は、ステップＳ１５０５で受付けた、間合わない条件設定４０４で定められた条件に従って、差替個所指定オブジェクト６０１で指定された箇所をスキップして印刷するか否かの判定を行う。
【０２４３】
そして、画像形成装置１２０は、指定された箇所をスキップして印刷すると判定した場合にはステップＳ１６２６に遷移する。具体的には、例えば、間合わない条件設定４０４」「データの指定個所をスキップし、差替データを印刷する」が選択されていた場合には、「スキップして印刷する」と判定する。
【０２４４】
一方、画像形成装置１２０は、スキップして印刷すると判定しなかった場合にはステップＳ１６２７に遷移する。
【０２４５】
ステップＳ１６２６では、画像形成装置１２０は、ステップＳ１５０５で受付けた、間合わない条件設定４０４で定められた条件に従って、画像形成データ５０５と差替画像形成データ５１５との印刷順序を決定する。このステップでは、差替個所指定オブジェクト６０１で指定された箇所をスキップして印刷ジョブ５００に基づく元の順序で印刷を行ない、そのまま差替画像形成データに基づく画像を形成する順序となる。つまり、図５の印刷ジョブ５００と差替ジョブ５１０とに基づく場合、ステップＳ１５０６で実行される画像形成（印刷）の順序は「イ、ロ、ハ、ニ、ホ、へ、チ、ト´」となり、図１４（ａ）のような出力物７００が出力されることになる。
【０２４６】
ステップＳ１６２７では、画像形成装置１２０は、ステップＳ１５０５で受付けた、間合わない条件設定４０４で定められた条件に従って、差替個所指定オブジェクト６０１で指定された箇所に対応するスペースの余白を設けて印刷するか否かの判定を行う。
【０２４７】
そして、画像形成装置１２０は、差替個所指定オブジェクト６０１で指定された箇所に対応するスペースの余白を設けて印刷すると判定した場合には、ステップＳ１６２８に遷移する。具体的には、例えば、間合わない条件設定４０４で「元データの指定個所に余白を設け、差替データを印刷する」が選択されていた場合には、「余白を設けて印刷する」と判定する。
【０２４８】
一方、画像形成装置１２０は、差替個所指定オブジェクト６０１で指定された箇所に対応するスペースの余白を設けて印刷すると判定しなかった場合には、ステップＳ１６２９に遷移する。
【０２４９】
ステップＳ１６２８では、画像形成装置１２０は、ステップＳ１５０５で受付けた間合わない条件設定４０４で定められた条件に従って、画像形成データ５０５と差替画像形成データ５１５との印刷順序を決定する。このステップでは、差替個所指定オブジェクト６０１で指定された箇所に余白を設けて印刷ジョブ５００に基づく元の順序で印刷を行った後、差替画像形成データに基づく画像を形成する順序となる。つまり、図５の印刷ジョブと差替ジョブに基づく場合、このステップでは、図５に基づくとステップＳ１５０６で実行される画像形成（印刷）の順序は「イ、ロ、ハ、ニ、ホ、へ、（「ト」に対応するスペースの余白を設ける）、チ、ト´」となる。そして、図１４（ｂ）のような出力物７００が出力されることになる。
【０２５０】
ステップＳ１６２９では、画像形成装置１２０は、画像形成装置１２０は、ステップＳ１５０５で受付けた、間合わない条件設定４０４で定められた条件に従って、画像形成データ５０５と差替画像形成データ５１５との印刷順序を決定する。このステップは、「元データ」は印刷しないパターンの処理フローである。したがって、ステップＳ１５１２で受付けた「ユーザがデータの差替えを希望する個所」の画像形成データ５０５と対応する差替画像形成データ５１５とのデータの差替えた上で、印刷ジョブ５００に基づく元の順序で印刷する（画像を形成する）ことを決定する。
【０２５１】
つまり、図５の印刷ジョブと差替ジョブに基づくと、図５の場合には、ステップＳ１５０６で実行される画像形成（印刷）の順序は「イ、ロ、ハ、ニ、ホ、へ、ト´、チ」となる。そして、図１０（ｂ）のような出力物７００が出力されることになる。
【０２５２】
ステップＳ１６３０では、画像形成装置１２０は、ステップＳ２００５で実施された、「差替ジョブ５１０を受け付けるまで、ステップＳ１５０６での画像形成処理を一時停止」する処理を解除し、ステップＳ１５０６での画像形成処理を再開する処理を行う
ステップＳ１６３１では、画像形成装置１２０は、ステップＳ１５１２で受付けた「トンボ付加チェックボックス４０５」の条件に従って、トンボ１００１を付加するか否かの判定を行う。
【０２５３】
そして、画像形成装置１２０は、トンボ１００１を付加すると判定した場合には、ステップＳ１６３２に遷移する。
【０２５４】
一方、画像形成装置１２０は、トンボ１００１を付加すると判定しなかった場合には、フローを終了する。
【０２５５】
ステップＳ１６３２では、画像形成装置１２０は、ユーザがデータの差替えを希望する個所に対応する位置が分かるよう、ステップＳ１５０６で図１０（ａ）や図１４（ａ）や図１４（ｂ）にあるようなトンボ１００１を画像形成する印刷設定にする。
【０２５６】
図１７は、本願発明に用いられるデータテーブルの一例を示した構成図である。
【０２５７】
図１７（ａ）は、印刷ジョブ５００に関する情報を管理するためのデータテーブルの一例を示した構成図である。図１７（ａ）は、情報処理装置１１０や画像形成装置１２０で管理される。
【０２５８】
印刷ジョブ名１７０１は、ステップＳ１５０４で生成される印刷ジョブの名前である。
【０２５９】
画像形成データ５０５は、画像形成装置１２０で画像を形成する順序が識別できるように格納されている。図１７（ａ）の場合は、図５の印刷ジョブ５００に基づくと、「イ、ロ、ハ、ニ、ホ、へ、ト、チ」の順序で画像を形成するように構成されている。つまり、順序や設定の変更がなく印刷された場合には、図７のような、出力物７００が出力される。
【０２６０】
また、図１６のステップＳ１６１２、ステップＳ１６１３、ステップＳ１６２４、ステップＳ１６２６、ステップＳ１６２８、ステップＳ１６２９等の処理の際に、画像形成装置１２０で画像を形成する順序を上書きできるように設けていてもよい。また、印刷ジョブ５００上書きは行わない方法もある。
【０２６１】
つまり、画像形成装置１２０は、以下のようなプロセスで、画像を形成する順序が決定（順序の変更含む）されるわけである。
【０２６２】
１．画像形成装置１２０が、印刷ジョブ５００基づく画像の形成中に、「ユーザがデータの差替えを希望する個所」の指定を受付ける。（ステップＳ１５１２。指定受付手段）
２．画像形成装置１２０が、受付けた個所に対応する差替画像形成データ５１５を含む差替ジョブ５１０を受けつける（ステップＳ１５１９。第２のデータ受付手段）
３．画像形成装置１２０が、間合う条件設定４０３、間合わない条件設定４０４、印刷完了残ゼロ時停止指示オブジェクト４０６で受付けた条件に従って、印刷ジョブ５００と差替ジョブ５１０とに基づく印刷の順序を決定（順序の変更含む）する。（決定手段）
図１７（ｂ）は、情報処理装置１１０が、印刷ジョブ５００の画像形成データ５０５のうち、ユーザが差替えたい画像の個所に対応する、画像形成データ５０５を管理するためのデータテーブルの一例を示した構成図である。画像形成装置１２０は、この情報をステップＳ１５１２にて受付ける。
【０２６３】
差替え指定個所１７０２は、情報処理装置１１０が、ステップＳ１５０９で差替個所指定オブジェクト６０１を通じて受付けた、印刷ジョブ５００の画像形成データ５０５のうち、ユーザが差替えたい画像の個所に対応する、画像形成データ５０５を管理している。図６をケースに取ると、「ト」（画像形成データ５０５７）が、指定個所であることが分かるように、テーブルが管理されている。
【０２６４】
図１７（ｃ）は、差替ジョブ５１０に関する情報を管理するためのデータテーブルの一例を示した構成図である。図１７（ｃ）は、情報処理装置１１０や画像形成装置１２０で管理される。
【０２６５】
差替ジョブ名１７０３は、ステップＳ１５１８で生成される差替ジョブ５１０の名前である。
【０２６６】
差替画像形成データ５１５は、差替えるべき画像形成データ５０５がどれであるかも分かるように格納されている。例えば図５に基づくならば、「ト´」が格納されていて、印刷ジョブ名「Ｊ００１」の画像形成データ５０５の「ト」（画像形成データ５０５７）と差替えることが分かるよう、管理されている。
【０２６７】
図１７（ｄ）は、画像形成を実行している印刷ジョブの差替限界と、印刷完了残とを管理するデータテーブルである。
【０２６８】
差替限界１７０４と、印刷完了残１７０５の詳細は、前述の通りである。
【０２６９】
図１８は、本願発明に用いられるデータテーブルの一例を示した構成図である。
【０２７０】
図１８は、印刷ジョブ５００と差替ジョブ５１０とを組み合わせた際の印刷順序を管理するデータテーブルの一例を示した構成図である。
【０２７１】
図１８は、印刷ジョブ５００の元の印刷順序をデフォルトとして、図１６の印刷順序の変更ステップによる印刷順序の決定を受けて変更され、その結果がステップＳ１５０６の印刷命令の実行の際の画像形成の順序（順番）に反映される。
【０２７２】
以下、図５の印刷ジョブ５００と差替ジョブ５１０とを基にして図１６の印刷順序の各ステップを経た際の例を説明する。
【０２７３】
画像を形成する順序１８０１は、画像形成データ５０５と差替画像形成データ５１５を、ステップＳ１５０６の印刷命令の実行の際の画像形成の順序を管理している。なお、「△」は、図７のＤ（「ニ」（形成画像７０５４）と「ホ」（形成画像７０５５）の間）にあるような、形成された画像の間に設けられる余白を示すものである。また、「★」は、図１０に示されるような、ステップＳ１５０６の印刷命令の実行中に、トンボ１００１を設けることを示す記号である。また、「［△ト］」は、図１４の余白１４０５７に示されるような、差替えの対象である「元データ」に対応するスペース分だけ、余白を設けることを示す記号である（この例の場合、「ト」のスペース分の余白を取ることを示している）。
【０２７４】
図１８（ａ）は、差替ジョブ５１０の受付がなかった場合のデータテーブルの一例を示している。
【０２７５】
図１８（ｂ）は、ステップＳ１６１２やステップＳ１６２４の印刷順序の決定がなされた場合のデータテーブルの一例を示している。
【０２７６】
図１８（ｃ）は、ステップＳ１６１３やステップＳ１６２９の印刷順序の決定がなされた場合のデータテーブルの一例を示している。
【０２７７】
図１８（ｄ）は、ステップＳ１６２６の印刷順序の決定がなされた場合のデータテーブルの一例を示している。
【０２７８】
図１８（ｅ）は、ステップＳ１６２８の印刷順序の決定がなされた場合のデータテーブルの一例を示している。
【０２７９】
図１９は、差替ジョブ５１０を送信した後に情報処理装置１１０に表示される表示画面の一例を示した構成図である。
【０２８０】
差替えマーク１９０１は、差替ジョブ５１０が送信されたことを示すオブジェクトである。差替えた回数も、識別可能に設けられている。図１９のそれ以外の構成は、図６に準ずるものである。
【０２８１】
図２０は、ステップＳ１５２１−２の差替ジョブ５１０がない場合のサブフローの一例を示した構成図である。
【０２８２】
ステップＳ２００１では、画像形成装置１２０は、印刷完了残がゼロであるか否か（ステップＳ１５１９で受付けた差替ジョブ５１０の差替えが間に合わないか否か）の判定を行う。
【０２８３】
そして、画像形成装置１２０は、印刷完了残がゼロである（ステップＳ１５１９で受付けた差替ジョブ５１０の差替えが間に合わない）との判定をした場合、ステップＳ２００２に遷移する。
【０２８４】
一方、画像形成装置１２０は、印刷完了残がゼロである（ステップＳ１５１９で受付けた差替ジョブ５１０の差替えが間に合わない）との判定をしなかった場合、ステップＳ２００３に遷移する。
【０２８５】
ステップＳ２００２では、画像形成装置１２０は、ステップＳ１５０５で受付けた、印刷完了残ゼロ時停止指示オブジェクト４０６介して受付けた条件に従って、ステップＳ１５０６で実施されている画像形成を一時停止するか否かの判定を行う。
【０２８６】
そして、画像形成装置１２０は、画像形成を一時停止すると判定した場合には、ステップＳ２００５に遷移する。例えば、印刷完了残ゼロ時停止指示オブジェクト４０６で、「印刷を一時停止し、差替データを受付けた際に再開する」にチェックが入っている場合には、画像形成を一時停止すると判定する。
【０２８７】
一方、画像形成装置１２０は、画像形成を一時停止すると判定しなかった場合には、ステップＳ２００３に遷移する。
【０２８８】
ステップＳ２００３では、画像形成装置１２０は、差替限界がゼロであるか否かの判定を行う。
【０２８９】
そして、画像形成装置１２０は、差替限界がゼロであるとの判定をした場合、ステップＳ２００４に遷移する。
【０２９０】
一方、画像形成装置１２０は、差替限界がゼロであるとの判定をしなかった場合、本フローを終了する。
【０２９１】
ステップＳ２００４では、画像形成装置１２０は、ステップＳ１５０５で受付けた、間合わない条件設定４０４介して受付けた条件に従って、ステップＳ１５０６で実施されている画像形成を一時停止するか否かの判定を行う。
【０２９２】
そして、画像形成装置１２０は、画像形成を一時停止すると判定した場合には、ステップＳ２００５に遷移する。例えば、間合わない条件設定４０４で、「印刷を一時停止し、差替データを受付けた際に再開する」にチェックが入っている場合には、画像形成を一時停止すると判定する。
【０２９３】
一方、画像形成装置１２０は、画像形成を一時停止すると判定しなかった場合には、本フローを終了する。
【０２９４】
ステップＳ２００５では、差ステップＳ１５０６で実施されている画像形成を、差替ジョブ５１０に含まれる差替画像形成データ５１５に基づく画像形成が必要な個所の手前まで実施し、画像形成を一時停止する処理を行う。
【０２９５】
なお、前述の通り、本発明の実施例では、この一時的な画像形成の停止の処理は、ステップＳ１６０６にて解除され、画像の形成が再開されるように設けられている。
【０２９６】
このステップにおいて、即時印刷を一時停止するのではなく、差替画像形成データ５１５に基づく画像形成が必要な個所の手前まで画像形成を行ってから停止する理由は、特許文献１のように、色むらの分かりにくい停止位置で一時停止を行うためである。そのため、画像形成データ５０５は、印刷ジョブ５００を生成する際に、特許文献１示されているように、印刷の中断が必要な状況になった際、色むらの分かりにくい停止位置を考慮して、設けられている。
【０２９７】
例えば、図１０（ａ）のパターンで「印刷完了残がゼロになると印刷を中止する」設定で、差替ジョブ５１０が間に合わなかったとすると、Ｈのラインまで画像形成がなされ、一時停止することになる。同様に、図１４（ａ）のパターンなら、Ｇ´、図１４（ｂ）のパターンなら、Ｈのラインまで画像形成がなされ、一時停止することになる。つまり「ト´」の手前まで画像形成を行って、差替ジョブ５１０を受け付けるまでの間、画像形成を一時停止するのである。
【０２９８】
また、例えば、図１０（ａ）のパターンで「差替限界がゼロになると印刷を中止する」設定で、差替ジョブ５１０が間に合わなかったとすると、Ｆのラインまで画像形成がなされ、一時停止することになる。つまりこのパターンも、「ト´」の手前まで画像形成を行って、差替ジョブ５１０を受け付けるまでの間、画像形成を一時停止するのである。
【０２９９】
このように、印刷ジョブ５００基づく画像形成中に、ステップＳ１５０９で差替個所指定オブジェクト６０１を通じて受付けた、印刷ジョブ５００で形成される画像の一部（ユーザが差替えたい画像の個所）は、画像形成を停止させるための基準となっている。実施例中では、指定された「ト」が基準となって、「ト」対応する「ト´」の手前が一時停止の場所になっているわけである。
【０３００】
しかしながら、差替えが間に合う場合、画質を低下させないために印刷は一時停止させない形が望ましい。そのため、差替えが間に合う場合は、基準に基づく所定の画像形成の停止位置に至っても、位置で画像形成を、一時的に停止させない構成になっている。
【０３０１】
例えば、図１０（ａ）で、基準「ト」に基づいて、停止位置がＨであったとする。この場合、「ト´」の受付（＝差替え＝印刷準備）が間に合えば、「チ」の画像形成が完了した後、画像形成の動作を止めることなく、「ト´」の画像が形成される。
【０３０２】
また、例えば、図１０（ｂ）で、基準「ト」に基づいて、停止位置がＦであったとする。この場合も、「ト´」の受付（＝差替え＝印刷準備）が間に合えば、「へ」の画像形成が完了した後、画像形成の動作を止めることなく、「ト´」の画像が形成される。
【０３０３】
以上の例にあるように、本実施例では、画質の低下しにくい仕組みを提供するべく、印刷ジョブ５００印刷は可能な限り継続させつつ、差替ジョブ５１０を準備するための時間を稼ぐための、様々な構成を設けている。
【０３０４】
そのための手段として、例えば、画像形成データ５０５や差替画像形成データ５１５の印刷順序の入替える、印刷速度を落とす、余白を設ける、
元データの手前（差替えが間に合うタイミング）までは画像形成を止めないようにする、といった構成を設けている。
【０３０５】
そして、それでも画像形成装置１２０の差替ジョブ５１０の受付が間に合わなかった場合にも、一時停止による色むらが分かりにくくなるよう、適切な位置で画像形成が一意停止するように設けている。
【０３０６】
以上説明したように、本発明は、画像形成中の画像データの差替えを容易にするとともに、画質が低下しにくい仕組みを提供することができる。
【０３０７】
また、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０３０８】
この場合、記録媒体から読み出されたプログラム自体が本発明の新規な機能を実現することになり、そのプログラムを記憶した記録媒体は本発明を構成することになる。
【０３０９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０３１０】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０３１１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０３１２】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０３１３】
１１０      情報処理装置
１２０      画像形成装置
２０１      ＣＰＵ
２０２      ＲＯＭ
２０３      ＲＡＭ
２０４      システムバス
２０５      入力コントローラ
２０６      ビデオコントローラ
２０７      メモリコントローラ
２０８      通信Ｉ／Ｆコントローラ
２０９      入力デバイス（ＫＢ／ボタン／タッチパネルなど）
２１０      表示端末（表示部）
２１１      外部メモリ
２２０      画像形成ユニットコントローラ
２２１      画像形成ユニット
３００      画像編集画面
３０１      印刷ボタン
３０２      画像データ
４００      印刷条件設定画面
４０１      プリンタ選択メニュー
４０２      基本印刷条件入力受付
４０３      間合う条件設定
４０４      間合わない条件設定
４０６      印刷完了残ゼロ時停止指示オブジェクト
４０５      トンボ付加チェックボックス
４０７      印刷開始ボタン
４０８      キャンセルボタン
５００      印刷ジョブ
５０１      ジョブ開始データ
５０２      ジョブ設定データ
５０３      ページ設定データ
５０４      画像形成設定データ
５０５      画像形成データ（５０５１〜５０５８）
５０６      ジョブ終了データ
５１０      差替ジョブ
５１１      差替ジョブ開始データ
５１４      差替画像形成設定データ
５１５      差替画像形成データ（５１５７）
５１６      差替ジョブ終了データ
６００      印刷実施表示画面
６０１      差替個所指定オブジェクト
６０２      形成完了領域表示オブジェクト
６０３      印刷速度設定受付オブジェクト
６０４      差替対象個所送信／編集開始ボタン
７００      出力物
７０１      余白
７０５１    形成画像（７０５１〜７０５８）
８０１      形成画像
８０２      形成画像
８０３      固着面
９０１      差替情報パレット
９０２      時間残表示部
９０３      差替データ送信ボタン
９０４      印刷実施表示画面呼出ボタン
９０５      差替指定個所
１００１    トンボ
１００５７  形成画像
１２０１    形成画像
１４０５７  余白
１７０１    印刷ジョブ名
１７０２    差替え指定個所
１７０３    差替ジョブ名
１７０４    差替限界
１７０５    印刷完了残
１８０１    画像を形成する順序
１９０１    差替えマーク
【図１】
2019098537.tif 000003
【図２】
2019098537.tif 000004
【図３】
2019098537.tif 000005
【図４】
2019098537.tif 000006
【図５】
2019098537.tif 000007
【図６】
2019098537.tif 000008
【図７】
2019098537.tif 000009
【図８】
2019098537.tif 000010
【図９】
2019098537.tif 000011
【図１０】
2019098537.tif 000012
【図１１】
2019098537.tif 000013
【図１２】
2019098537.tif 000014
【図１３】
2019098537.tif 000015
【図１４】
2019098537.tif 000016
【図１５】
2019098537.tif 000017
【図１６】
2019098537.tif 000018
【図１７】
2019098537.tif 000019
【図１８】
2019098537.tif 000020
【図１９】
2019098537.tif 000021
【図２０】
2019098537.tif 000022